(57)【要約】【課題】動作モードを設定する操作を行わずに、表示画像信号と描画画像信号とが合成された合成画像信号に基づく合成画像の表示を各表示装置で行うことを可能とする。【解決手段】位置情報ＰＳに基づき指示体４０の軌跡の画像である描画画像を示す描画画像信号を生成し、描画画像信号と表示画像信号ＧＳとに基づき合成画像を示す合成画像信号ＣＳを生成する画像処理部６０と、表示画像信号ＧＳと位置情報ＰＳとを送信可能な通信部５２と、通信部５２がプロジェクターＰＪ２へ表示画像信号ＧＳを送信する際、プロジェクターＰＪ２が、表示画像信号ＧＳと位置情報ＰＳとに基づき合成画像を表示可能かを判断する判断部３１と、判断部３１が、プロジェクターＰＪ２が表示画像信号ＧＳと位置情報ＰＳとに基づき合成画像を表示可能と判断した際、表示画像信号ＧＳと位置情報ＰＳとをプロジェクターＰＪ２へ送信するように通信部５２を制御する制御部３０とを備える。【選択図】図２
2018036489.tif 000002
【特許請求の範囲】
【請求項１】
指示体の位置を示す位置情報を取得可能な取得部と、
表示画像を示す表示画像信号を入力する入力部と、
前記取得部で取得した前記位置情報に基づいて前記指示体の軌跡の画像である描画画像を示す描画画像信号を生成し、前記描画画像信号と前記表示画像信号とに基づいて前記描画画像と前記表示画像とを合成した合成画像を示す合成画像信号を生成する画像処理部と、
前記合成画像信号に基づいて前記合成画像を表示する表示部と、
前記表示画像信号と前記位置情報とを送信可能な通信部と、
前記通信部が当該表示装置である第１の表示装置から第２の表示装置へ前記表示画像信号を送信する場合に、前記第２の表示装置が、前記表示画像信号と前記位置情報とに基づいて、前記合成画像を表示可能であるかを判断する判断部と、
前記判断部が、前記第２の表示装置が前記表示画像信号と前記位置情報とに基づいて前記合成画像を表示可能であると判断した場合、前記表示画像信号と前記位置情報とを前記第２の表示装置へ送信するように前記通信部を制御する制御部と、を備える、
ことを特徴とする表示装置。
【請求項２】
前記通信部は、前記表示画像信号に前記位置情報を多重した多重画像信号を前記第２の表示装置に送信可能な第１通信部を備え、
前記判断部は、
前記第２の表示装置が前記表示画像信号と前記位置情報とに基づいて前記合成画像を表示する合成画像表示機能を備えており、且つ、前記位置情報の情報量が前記表示画像信号に前記位置情報を多重可能な大きさである場合には、前記第２の表示装置が前記表示画像信号と前記位置情報とに基づいて前記合成画像を表示可能であると判断し、
前記制御部は、
前記判断部が、前記第２の表示装置が前記表示画像信号と前記位置情報とに基づいて前記合成画像を表示可能であると判断した場合に、前記多重画像信号を前記第２の表示装置に送信するように第１通信部を制御する、
ことを特徴とする請求項１に記載の表示装置。
【請求項３】
前記通信部は、前記第１通信部と異なる第２通信部を備え、
前記判断部は、
前記第２の表示装置が前記表示画像信号と前記位置情報とに基づいて前記合成画像を表示する合成画像表示機能を備えており、且つ、前記位置情報の情報量が前記表示画像信号に前記位置情報を多重可能な大きさでない場合は、前記第２通信部を用いて前記第２の表示装置と通信が可能か判定し、前記第２通信部を用いて前記第２の表示装置と通信が可能であると判定した場合、前記第２の表示装置が前記表示画像信号と前記位置情報とに基づいて前記合成画像を表示可能であると判断し、
前記制御部は、
前記判断部が、前記第２の表示装置が前記表示画像信号と前記位置情報とに基づいて前記合成画像を表示可能であると判断した場合に、
前記表示画像信号を前記第２の表示装置に送信するように前記第１通信部を制御し、
前記位置情報を前記第２の表示装置に送信するように前記第２通信部を制御する、
ことを特徴とする請求項２に記載の表示装置。
【請求項４】
前記通信部は、前記第１通信部と異なる第２通信部を備え、
前記判断部は、
前記第２の表示装置が前記表示画像信号と前記位置情報とに基づいて前記合成画像を表示する合成画像表示機能を備えていない場合、前記第２の表示装置が前記第２通信部を用いて前記第１の表示装置と通信が可能か判定し、判定の結果が通信可能である場合、前記第２の表示装置が前記合成画像を表示可能と判断し、
前記制御部は、
前記判断部の判断の結果が、前記合成画像を表示可能である場合、前記合成画像を前記第２の表示装置に送信するように前記第１通信部を制御する、
ことを特徴とする請求項２に記載の表示装置。
【請求項５】
前記判断部は、前記第２の表示装置の機種を特定する機種情報を取得し、取得した機種情報に基づいて、前記第２の表示装置が前記合成画像表示機能を備えているか否かを判定することを特徴とする請求項２乃至４のうちいずれか１項に記載の表示装置。
【請求項６】
前記判断部は、前記第２の表示装置の機種を特定する機種情報を取得し、取得した機種情報に基づいて、前記位置情報の情報量が前記表示画像信号に前記位置情報を多重可能な大きさか否かを判定することを特徴とする請求項２乃至５のうちいずれか１項に記載の表示装置。
【請求項７】
画像を表示可能な表示装置のプログラムであって、
前記プログラムは、前記表示装置を、
指示体の位置を示す位置情報を取得可能な取得部と、
表示画像を示す表示画像信号を入力する入力部と、
前記取得部で取得した前記位置情報に基づいて前記指示体の軌跡の画像である描画画像を示す描画画像信号を生成し、前記描画画像信号と前表示画像信号とに基づいて前記描画画像と前記表示画像とを合成した合成画像を示す合成画像信号を生成する画像処理部と、
前記合成画像信号に基づいて前記合成画像を表示する表示部と、
前記表示画像信号と前記位置情報とを送信可能な通信部と、
前記通信部が第２の表示装置へ前記表示画像信号を送信する場合に、前記第２の表示装置が、前記表示画像信号と前記位置情報とに基づいて、前記合成画像を表示可能であるかを判断する判断部と、
前記判断部が、前記第２の表示装置が前記表示画像信号と前記位置情報とに基づいて前記合成画像を表示可能であると判断した場合、前記表示画像信号と前記位置情報とを前記第２の表示装置へ送信するように前記通信部を制御する制御部として、機能させる、
ことを特徴とする表示装置のプログラム。
【請求項８】
画像を表示可能な表示装置の制御方法であって、
指示体の位置を示す位置情報を取得し、
表示画像を示す表示画像信号を入力し、
前記取得した前記位置情報に基づいて前記指示体の軌跡画像である描画画像を示す描画画像信号を生成し、
前記描画画像信号と前記表示画像信号とに基づいて前記描画画像と前記表示画像とを合成した合成画像を示す合成画像信号を生成し、
前記合成画像信号に基づいて前記合成画像を表示し、
前記表示装置である第１の表示装置から第２の表示装置へ前記表示画像信号を送信する場合に、前記第２の表示装置が、前記表示画像信号と前記位置情報とに基づいて、前記合成画像を表示可能であるかを判断し、
前記第２の表示装置が前記表示画像信号と前記位置情報とに基づいて前記合成画像を表示可能であると判断した場合、前記表示画像信号と前記位置情報とを前記第２の表示装置へ送信するように制御する、
ことを特徴とする表示装置の制御方法。
【請求項９】
画像信号を出力する画像信号出力装置と、
請求項１乃至８のうちいずれか１項に記載の表示装置と、を備える、
ことを特徴とする表示システム。
【発明の詳細な説明】
【技術分野】
【０００１】
本発明は、表示装置、表示装置のプログラム、表示装置の制御方法、及び表示システムに関する。
【背景技術】
【０００２】
従来から、ペン型の入力装置を用いて投射画像に線画や文字等の書き込みを行うことが可能な、いわゆるインタラクティブプロジェクターが製品化されている。インタラクティブプロジェクターにおいては、ペン型の入力装置により投射画面上に描かれた軌跡に基づいて描画データを生成し、当該描画データを投射画像に重畳させることにより、投射画像への線画や文字等の書き込みを行っている。
インタラクティブプロジェクターを用いたプレゼンテーションでは、プレゼンターが必要に応じて投射画像に線画や文字等の書き込みを加えることで、レーザーポインター等を使用する場合に比べて効果的なプレゼンテーションを行うことが可能となっている。
【０００３】
一方、プロジェクターは大画面の投射が可能であることが利点の一つであるが、大画面になるほど、プレゼンターが投射内容に直接書き込みを行うことが物理的に困難になる。そこで、小画面の投射を行う第１のプロジェクターと、大画面の投射を行う第２のプロジェクターとを接続し、第１のプロジェクターにおいて小画面に投射された内容を、第２のプロジェクターにおいて大画面に投射する技術が提案されている（例えば、特許文献１）。特許文献１では、第１のプロジェクターに第１の映像機器を接続すると共に、第２のプロジェクターに第２の映像機器を接続し、第１の映像機器及び第２の映像機器から同じ内容の画像データを出力する。第１のプロジェクターの投射画面にペン型の入力装置により書き込みが行われると、第１のプロジェクターは、第１の映像機器から入力した画像データに、ペン型の入力装置の操作情報に基づく描画データを重畳する。そして、前記書き込みが反映された画像を投射する。また同時に、第１のプロジェクターは、ペン型の入力装置の操作情報を第２のプロジェクターに送信する。第２のプロジェクターは、第２の映像機器から入力した画像データに、第１のプロジェクターから受信した描画データを重畳する。そして、第１のプロジェクターによる投射内容と同じ内容を大画面に投射する。その結果、直接書き込みを行うことが困難な大画面上に、書き込みが反映された画像を投射することが可能となる。
【先行技術文献】
【特許文献】
【０００４】
【特許文献１】特開２０１５−６００８７号公報
【発明の概要】
【発明が解決しようとする課題】
【０００５】
しかし、特許文献１では、第１のプロジェクター及び第２のプロジェクターのそれぞれに接続する別個の映像機器を用意する必要があるため、プレゼンテーションの準備に手間が掛かってしまう。また、映像機器から動画を出力する場合には、２台の映像機器を同期させることが難しい。更に、特許文献１では、第１のプロジェクターと第２のプロジェクターとを別々の動作モードに設定する必要がある。つまり、第１のプロジェクターにおいてはペン型の入力装置の操作情報を第２のプロジェクターに送信するという動作モードに設定する必要がある。一方、第２のプロジェクターにおいては受信した操作情報に基づいて描画データを生成するという動作モードに設定する必要がある。このように、特許文献１では、それぞれのプロジェクターにおいて設定を行うという煩雑な手続き必要となっていた。
【０００６】
このような課題は、表示装置としてプロジェクターを用いた場合だけでなく、液晶ディスプレイを用いた場合も同様に存在していた。
【０００７】
本発明は、上述した事情に鑑みてなされたものであり、それぞれの表示装置において動作モードを設定する操作を行うことなく、表示画像信号と描画画像信号とが合成された合成画像信号に基づく合成画像の表示を行うことが可能な表示装置、表示装置のプログラム、表示装置の制御方法、及び表示システムを提供することを解決課題としている。
【課題を解決するための手段】
【０００８】
以上の課題を解決するため、本発明に係る表示装置の一態様は、指示体の位置を示す位置情報を取得可能な取得部と、表示画像を示す表示画像信号を入力する入力部と、前記取得部で取得した前記位置情報に基づいて前記指示体の軌跡の画像である描画画像を示す描画画像信号を生成し、前記描画画像信号と前記表示画像信号とに基づいて前記描画画像と前記表示画像とを合成した合成画像を示す合成画像信号を生成する画像処理部と、前記合成画像信号に基づいて前記合成画像を表示する表示部と、前記表示画像信号と前記位置情報とを送信可能な通信部と、前記通信部が当該表示装置である第１の表示装置から第２の表示装置へ前記表示画像信号を送信する場合に、前記第２の表示装置が、前記表示画像信号と前記位置情報とに基づいて、前記合成画像を表示可能であるかを判断する判断部と、前記判断部が、前記第２の表示装置が前記表示画像信号と前記位置情報とに基づいて前記合成画像を表示可能であると判断した場合、前記表示画像信号と前記位置情報とを前記第２の表示装置へ送信するように前記通信部を制御する制御部と、を備える、ことを特徴とする。
【０００９】
前記一態様においては、第２の表示装置が、表示画像信号と位置情報とに基づいて、合成画像を表示可能である判断した場合に、通信部により表示画像信号と位置情報とを第２の表示装置へ送信する。したがって、ユーザーが第１の表示装置における送信モードの設定操作、及び第２の表示装置における受信モードの設定操作を行うことなく、第１の表示装置と第２の表示装置とで、同じ合成画像を表示させることが可能となる。
【００１０】
上述した表示装置の一態様において、前記通信部は、前記表示画像信号に前記位置情報を多重した多重画像信号を前記第２の表示装置に送信可能な第１通信部を備え、前記判断部は、前記第２の表示装置が前記表示画像信号と前記位置情報とに基づいて前記合成画像を表示する合成画像表示機能を備えており、且つ、前記位置情報の情報量が前記表示画像信号に前記位置情報を多重可能な大きさである場合には、前記第２の表示装置が前記表示画像信号と前記位置情報とに基づいて前記合成画像を表示可能であると判断し、前記制御部は、前記判断部が、前記第２の表示装置が前記表示画像信号と前記位置情報とに基づいて前記合成画像を表示可能であると判断した場合に、前記多重画像信号を前記第２の表示装置に送信するように第１通信部を制御してもよい。
この態様によれば、判断部が、第２の表示装置が合成画像表示機能を備えており、且つ、位置情報の情報量が表示画像信号に位置情報を多重可能な大きさである場合には、表示画像信号に位置情報を多重した多重画像信号を第２の表示装置に送信する。したがって、第２の表示装置は、多重画像信号に多重された位置情報を確実に読み取り、合成画像を表示させることが可能となる。
【００１１】
上述した表示装置の一態様において、前記通信部は、前記第１通信部と異なる第２通信部を備え、前記判断部は、前記第２の表示装置が前記表示画像信号と前記位置情報とに基づいて前記合成画像を表示する合成画像表示機能を備えており、且つ、前記位置情報の情報量が前記表示画像信号に前記位置情報を多重可能な大きさでない場合は、前記第２通信部を用いて前記第２の表示装置と通信が可能か判定し、前記第２通信部を用いて前記第２の表示装置と通信が可能であると判定した場合、前記第２の表示装置が前記表示画像信号と前記位置情報とに基づいて前記合成画像を表示可能であると判断し、前記制御部は、前記判断部が、前記第２の表示装置が前記表示画像信号と前記位置情報とに基づいて前記合成画像を表示可能であると判断した場合に、前記表示画像信号を前記第２の表示装置に送信するように前記第１通信部を制御し、前記位置情報を前記第２の表示装置に送信するように前記第２通信部を制御してもよい。
この態様によれば、判断部が、第２の表示装置が合成画像表示機能を備えており、且つ、位置情報の情報量が表示画像信号に位置情報を多重可能な大きさでない場合は、第２通信部を用いて第２の表示装置と通信が可能か判定する。第２通信部を用いて第２の表示装置と通信が可能であると判定した場合には、第１通信部により表示画像信号を第２の表示装置に送信する。したがって、位置情報を多重画像信号に多重させて送信できない場合でも、第２の表示装置は、第１通信部により送信された位置情報を確実に読み取り、合成画像を表示させることが可能となる。
【００１２】
上述した表示装置の一態様において、前記通信部は、前記第１通信部と異なる第２通信部を備え、前記判断部は、前記第２の表示装置が前記表示画像信号と前記位置情報とに基づいて前記合成画像を表示する合成画像表示機能を備えていない場合、前記第２の表示装置が前記第２通信部を用いて前記第１の表示装置と通信が可能か判定し、判定の結果が通信可能である場合、前記第２の表示装置が前記合成画像を表示可能と判断し、前記制御部は、前記判断部の判断の結果が、前記合成画像を表示可能である場合、前記合成画像を前記第２の表示装置に送信するように前記第１通信部を制御してもよい。
この態様によれば、判断部が、第２の表示装置が合成画像表示機能を備えていない場合、第２の表示装置が第１通信部を用いて第１の表示装置と通信が可能か判定する。判定の結果が通信可能である場合、合成画像が第２の表示装置に送信される。したがって、第２の表示装置が合成画像表示機能を備えていない場合でも、第１の表示装置と第２の表示装置とで同じ合成画像が表示される。
【００１３】
上述した表示装置の一態様において、前記判断部は、前記第２の表示装置の機種を特定する機種情報を取得し、取得した機種情報に基づいて、前記第２の表示装置が前記合成画像表示機能を備えているか否かを判定してもよい。
この態様によれば、判断部は、第２の表示装置の機種を特定する機種情報に基づいて、第２の表示装置が合成画像表示機能を備えているか否かを判定する。したがって、ユーザーが第１の表示装置における送信モードの設定操作、及び第２の表示装置における受信モードの設定操作を行うことなく、第２の表示装置に適合した方法で位置情報と表示画像情報を送信可能となる。その結果、第１の表示装置と第２の表示装置とで、同じ合成画像を表示させることが可能となる。
【００１４】
上述した表示装置の一態様において、前記判断部は、前記第２の表示装置の機種を特定する機種情報を取得し、取得した機種情報に基づいて、前記位置情報の情報量が前記表示画像信号に前記位置情報を多重可能な大きさか否かを判定してもよい。
この態様によれば、判断部は、第２の表示装置の機種を特定する機種情報に基づいて、位置情報の情報量が表示画像信号に前記位置情報を多重可能な大きさか否かを判定する。したがって、ユーザーが第１の表示装置における送信モードの設定操作、及び第２の表示装置における受信モードの設定操作を行うことなく、第２の表示装置に適合した方法で位置情報と表示画像情報を送信可能となる。その結果、第１の表示装置と第２の表示装置とで、同じ合成画像を表示させることが可能となる。
【００１５】
以上の課題を解決するため、本発明に係る画像を表示可能な表示装置のプログラムであって、前記プログラムは、前記表示装置を、指示体の位置を示す位置情報を取得可能な取得部と、表示画像を示す表示画像信号を入力する入力部と、前記取得部で取得した前記位置情報に基づいて前記指示体の軌跡の画像である描画画像を示す描画画像信号を生成し、前記描画画像信号と前表示画像信号とに基づいて前記描画画像と前記表示画像とを合成した合成画像を示す合成画像信号を生成する画像処理部と、前記合成画像信号に基づいて前記合成画像を表示する表示部と、前記表示画像信号と前記位置情報とを送信可能な通信部と、前記通信部が当該表示装置である第１の表示装置から第２の表示装置へ前記表示画像信号を送信する場合に、前記第２の表示装置が、前記表示画像信号と前記位置情報とに基づいて、前記合成画像を表示可能であるかを判断する判断部と、前記判断部が、前記第２の表示装置が前記表示画像信号と前記位置情報とに基づいて前記合成画像を表示可能であると判断した場合、前記表示画像信号と前記位置情報とを前記第２の表示装置へ送信するように前記通信部を制御する制御部として、機能させる、ことを特徴とする。
【００１６】
この態様によれば、第２の表示装置が、表示画像信号と位置情報とに基づいて、合成画像を表示可能である判断した場合に、通信部により表示画像信号と位置情報とを第２の表示装置へ送信する。したがって、ユーザーが第１の表示装置における送信モードの設定操作、及び第２の表示装置における受信モードの設定操作を行うことなく、第１の表示装置と第２の表示装置とで、同じ合成画像を表示させることが可能となる。
【００１７】
以上の課題を解決するため、本発明に係る画像を表示可能な表示装置の制御方法であって、指示体の位置を示す位置情報を取得し、表示画像を示す表示画像信号を入力し、前記取得した前記位置情報に基づいて前記指示体の軌跡画像である描画画像を示す描画画像信号を生成し、前記描画画像信号と前記表示画像信号とに基づいて前記描画画像と前記表示画像とを合成した合成画像を示す合成画像信号を生成し、前記合成画像信号に基づいて前記合成画像を表示し、前記表示装置である第１の表示装置から第２の表示装置へ前記表示画像信号を送信する場合に、前記第２の表示装置が、前記表示画像信号と前記位置情報とに基づいて、前記合成画像を表示可能であるかを判断し、前記第２の表示装置が前記表示画像信号と前記位置情報とに基づいて前記合成画像を表示可能であると判断した場合、前記表示画像信号と前記位置情報とを前記第２の表示装置へ送信するように制御する、ことを特徴とする。
【００１８】
この態様によれば、第２の表示装置が、表示画像信号と位置情報とに基づいて、合成画像を表示可能である判断した場合に、通信部により表示画像信号と位置情報とを第２の表示装置へ送信する。したがって、ユーザーが第１の表示装置における送信モードの設定操作、及び第２の表示装置における受信モードの設定操作を行うことなく、第１の表示装置と第２の表示装置とで、同じ合成画像を表示させることが可能となる。
【００１９】
以上の課題を解決するため、本発明に係る表示システムの一態様によれば、画像信号を出力する画像信号出力装置と、上述したうちのいずれかに記載の表示装置とを備えることを特徴とする。前記一態様によれば、ユーザーが第１の表示装置における送信モードの設定操作、及び第２の表示装置における受信モードの設定操作を行うことなく、第１の表示装置と第２の表示装置とで、同じ合成画像を表示させることが可能となる。
【図面の簡単な説明】
【００２０】
【図１】本発明の一実施形態に係る表示システムの構成を示す図である。
【図２】プロジェクターの機能ブロックを示す図である。
【図３】管理テーブルの一例を示す図である。
【図４】プロジェクターのＨＤＭＩ（登録商標）出力Ｉ／ＦとプロジェクターのＨＤＭＩ入力Ｉ／Ｆ５１０の構成例を示す図である。
【図５】送信モードの設定処理を示すフローチャートである。
【図６】送信処理を示すフローチャートである。
【図７】受信処理を示すフローチャートである。
【図８】受信処理を示すフローチャートである。
【図９】受信処理を示すフローチャートである。
【発明を実施するための形態】
【００２１】
以下、この発明の好適な実施の形態を、添付図面等を参照しながら詳細に説明する。但し、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
図１は、本発明を適用した一実施形態に係る表示システム１００の構成を示す図である。図１に示すように、表示システム１００は、画像信号出力装置１０と、第１の表示装置としてのプロジェクターＰＪ１及び第２の表示装置としてのプロジェクターＰＪ２とを備えている。
画像信号出力装置１０は、表示画像信号ＧＳを出力可能な装置であり、表示画像信号ＧＳの出力インターフェース（以下、インターフェースをＩ／Ｆと記載する。）としてＨＤＭＩ出力Ｉ／Ｆ１１を備えている。ＨＤＭＩ出力Ｉ／Ｆ１１は、ＨＤＭＩ規格に準拠したＩ／Ｆである。画像信号出力装置１０のＨＤＭＩ出力Ｉ／Ｆ１１と、プロジェクター等の表示装置のＨＤＭＩ入力Ｉ／ＦとをＨＤＭＩケーブルにより接続することで、画像信号出力装置１０からデジタルの表示画像信号ＧＳを表示装置に出力することが可能になる。なお、表示画像信号ＧＳは、静止画像信号の場合と動画像（映像）信号の場合とがある。画像信号出力装置１０の具体例としては、パーソナルコンピューターあるいはＤＶＤプレーヤー等が挙げられる。本実施形態では、一例として画像信号出力装置１０にパーソナルコンピューターを用いている。
【００２３】
第１の表示装置としてのプロジェクターＰＪ１及び第２の表示装置としてのプロジェクターＰＪ２は、表示画像信号ＧＳを入力して表示画像信号ＧＳに基づく画像を表示する装置である。本実施形態では、一例として、プロジェクターＰＪ１及びプロジェクターＰＪ２として同一機種のプロジェクターを用いている。プロジェクターＰＪ１及びプロジェクターＰＪ２は、表示画像信号ＧＳ及び位置情報ＰＳの入力端子としてＨＤＭＩ入力Ｉ／Ｆ５１０を備えている。ＨＤＭＩ入力Ｉ／Ｆ５１０は、ＨＤＭＩ規格に準拠した端子である。画像信号出力装置１０等の外部機器のＨＤＭＩ出力Ｉ／Ｆと、プロジェクターＰＪ１のＨＤＭＩ入力Ｉ／Ｆ５１０とをＨＤＭＩケーブルにより接続することで、外部機器から出力された表示画像信号ＧＳ及び位置情報ＰＳをプロジェクターＰＪ１にて入力可能になる。
【００２４】
また、プロジェクターＰＪ１及びプロジェクターＰＪ２は、表示画像信号ＧＳ及び位置情報ＰＳの出力Ｉ／ＦとしてＨＤＭＩ出力Ｉ／Ｆ５２０を備えている。したがって、プロジェクターＰＪ１のＨＤＭＩ出力Ｉ／Ｆ５２０とプロジェクターＰＪ２のＨＤＭＩ入力Ｉ／Ｆ５１０とをＨＤＭＩケーブルにより接続することで、プロジェクターＰＪ１からプロジェクターＰＪ２への表示画像信号ＧＳ及び位置情報ＰＳの出力が可能になる。また、プロジェクターＰＪ１から出力された表示画像信号ＧＳ及び位置情報ＰＳのプロジェクターＰＪ２における入力が可能になる。
プロジェクターＰＪ１及びプロジェクターＰＪ２は、更に、汎用データの入出力Ｉ／ＦとしてＵＳＢＩ／Ｆ５３０を備えている。
【００２５】
プロジェクターＰＪ１は、ＨＤＭＩケーブル２００を介して画像信号出力装置１０と接続されている。ＨＤＭＩケーブル２００の一端は画像信号出力装置１０のＨＤＭＩ出力Ｉ／Ｆ１１に接続され、ＨＤＭＩケーブル２００の他端はプロジェクターＰＪ１のＨＤＭＩ入力Ｉ／Ｆ５１０に接続される。プロジェクターＰＪ１は、画像信号出力装置１０から表示画像信号ＧＳを入力し、表示画像信号ＧＳの示す表示画像をスクリーンＳＣ１に投射する。その結果、スクリーンＳＣ１上には、投射画像１２０が表示される。
【００２６】
プロジェクターＰＪ１においては、指示体４０の使用が可能となっている。指示体４０は、例えばペン型のデバイスであり、軸部４１と先端ボタン４２とを備えている。ユーザーは軸部４１を手に持って、先端ボタン４２をスクリーンＳＣ１またはスクリーンＳＣ１上の投射画像１２０に押し当てるように使用する。先端ボタン４２は、指示体４０の内部に設けられたスイッチと連動しており、先端ボタン４２が押圧されることにより、スイッチがオンする。指示体４０の内部には、赤外線発光部が設けられており、スイッチがオンすることにより、スイッチがオンしていることを示す信号が赤外線発光部から出力される。赤外線発光部は、例えば赤外ＬＥＤ等の発光素子、発光制御回路、及び電源を備えて構成される。赤外線発光部は、指示体４０の電源がオンになっている状態で、周期的に赤外線を発光する。赤外線発光部は、例えば、ＩｒＤＡ（Infrared Data Association）規格に準拠した方式により、先端ボタン４２に連動したスイッチのオン／オフを示すデータを送信する。
【００２７】
プロジェクターＰＪ１は、後述するように、スクリーンＳＣ１上における指示体４０の位置を取得する検出部７０（図２参照）を備えている。検出部７０は、指示体４０の先端ボタン４２が押圧されたスクリーンＳＣ１上の位置を、スクリーンＳＣ１上における指示体４０の位置として取得し、指示体４０の位置を示す位置情報ＰＳを生成する。
【００２８】
プロジェクターＰＪ１は、基本的な表示モードとインタラクティブ表示モードとを備えている。基本的な表示モードとは、表示画像信号ＧＳに基づく表示画像を投射するモードである。インタラクティブ表示モードとは、表示画像信号ＧＳの示す表示画像と、指示体４０の位置情報ＰＳに基づく描画画像信号の示す描画画像とを合成した合成画像を投射するモードである。
図１に示す例では、プロジェクターＰＪ１はインタラクティブ表示モードで動作するように設定されている。プロジェクターＰＪ１は、インタラクティブ表示モードでは、検出部７０により取得される指示体４０の位置を示す位置情報ＰＳに基づいて、指示体４０の軌跡を示す描画画像信号を生成する。更に、プロジェクターＰＪ１は、生成した描画画像信号と、画像信号出力装置１０から入力した表示画像信号ＧＳとを合成した合成画像信号ＣＳを生成する。そして、プロジェクターＰＪ１は、生成した合成画像信号ＣＳに基づいて合成画像をスクリーンＳＣ１上に投射する。その結果、投射画像１２０は、画像信号出力装置１０からの表示画像信号ＧＳの示す表示画像と、指示体４０の軌跡を示す描画画像である線画１２１とが合成された合成画像が表示された画面となる。
【００２９】
プロジェクターＰＪ２は、ＨＤＭＩケーブル２１０を介してプロジェクターＰＪ１と接続されている。ＨＤＭＩケーブル２１０の一端はプロジェクターＰＪ１のＨＤＭＩ出力Ｉ／Ｆ５２０に接続され、ＨＤＭＩケーブル２１０の他端はプロジェクターＰＪ２のＨＤＭＩ入力Ｉ／Ｆ５１０に接続される。プロジェクターＰＪ１は、指示体４０の位置を示す位置情報ＰＳと、画像信号出力装置１０から入力した表示画像信号ＧＳとを、ＨＤＭＩケーブル２１０を介してプロジェクターＰＪ２に送信する。
【００３０】
プロジェクターＰＪ２は、図１に示す例ではインタラクティブ表示モードとなっており、プロジェクターＰＪ１から取得した指示体４０の位置情報ＰＳに基づいて、指示体４０の軌跡を示す描画画像信号を生成する。更に、プロジェクターＰＪ２は、生成した描画画像信号と、ＨＤＭＩケーブル２１０を介して入力した表示画像信号ＧＳとを合成した合成画像信号を生成する。そして、プロジェクターＰＪ２は、生成した合成画像信号に基づいて合成画像をスクリーンＳＣ２上に投射する。その結果、投射画像１２２は、ＨＤＭＩケーブル２１０を介して入力した表示画像信号ＧＳの示す表示画像と、指示体４０の軌跡を示す描画画像である線画１２１とが合成された合成画像が表示された画面となる。つまり、プロジェクターＰＪ２による投射画像１２２は、プロジェクターＰＪ１による投射画像１２０と同じ画面となる。
【００３１】
次に、本実施形態のプロジェクターＰＪ１の構成について説明する。なお、本実施形態においてはプロジェクターＰＪ２の構成はプロジェクターＰＪ１の構成と同様なので説明を省略する。
図２は、プロジェクターＰＪ１の機能ブロックを示す図である。プロジェクターＰＪ１は、図２に示すように、操作部２０、Ｉ／Ｆ部５０、画像処理部６０、検出部７０、記憶部８０、表示部９０、及びＣＰＵ（Central Processing Unit）３００を備えている。ＣＰＵ３００は記憶部８０に記憶されている制御プログラムＰを実行することによって、プロジェクターＰＪ１全体を制御する制御部３０及び判断部３１、並びに位置情報ＰＳを取得する取得部３２として機能する。
【００３２】
操作部２０は、操作パネル２１及びリモコン受光部２２を備える。リモコン受光部２２は、プロジェクターＰＪ１のユーザーが使用するリモコン（図示略）がボタン操作に対応して送信した赤外線信号を受光する。リモコン受光部２２は、リモコンから受光した赤外線信号をデコードして、リモコンにおける操作内容を示す操作データＤ１を生成し、制御部３０に出力する。
【００３３】
操作パネル２１は、プロジェクターＰＪ１の外装筐体に設けられ、各種スイッチ及びインジケーターランプを有する。操作パネル２１は、制御部３０の制御に従い、プロジェクターＰＪ１の動作状態や設定状態に応じて操作パネル２１のインジケーターランプを適宜点灯或いは点滅させる。この操作パネル２１のスイッチが操作されると、操作されたスイッチに対応する操作データＤ１が制御部３０に出力される。
本実施形態においては、操作パネル２１及びリモコンには、プロジェクターＰＪ１の電源をオンまたはオフするスイッチと、表示部９０における表示をミュートするミュートスイッチとが含まれている。
【００３４】
Ｉ／Ｆ部５０は、プロジェクターＰＪ１以外の他のプロジェクターまたは画像信号出力装置１０等の外部機器と、プロジェクターＰＪ１とを接続するための入力部５１、及び通信部５２を備えている。入力部５１は、外部機器と接続するためのＤ−ｓｕｂ端子５００と、ＨＤＭＩ入力Ｉ／Ｆ５１０、ＵＳＢＩ／Ｆ５３０、及びＬＡＮＩ／Ｆ５４０を備える。
【００３５】
通信部５２は、第１通信部５３と、第２通信部５４とを備える。第１通信部５３は、プロジェクターＰＪ１以外の他のプロジェクターまたは画像信号出力装置１０等の外部機器と、プロジェクターＰＪ１とを接続するための、図１にも示したＨＤＭＩ出力Ｉ／Ｆ５２０を備える。ＨＤＭＩ出力Ｉ／Ｆ５２０は、表示画像信号ＧＳ、位置情報ＰＳ、及びＣＥＣ（Consumer Electronics Control）のコマンドを出力することが可能となっている。詳しくは後述する。本実施形態では、ＨＤＭＩ出力Ｉ／Ｆ５２０は、ＨＤＭＩのバージョン２．０に対応している。
【００３６】
第２通信部５４は、プロジェクターＰＪ１以外の他のプロジェクターまたは画像信号出力装置１０等の外部機器と、プロジェクターＰＪ１とを接続するためのＵＳＢＩ／Ｆ５３０及びＬＡＮＩ／Ｆ５４０を備える。ＵＳＢＩ／Ｆ５３０及びＬＡＮＩ／Ｆ５４０は、外部機器から信号を入力する場合と、プロジェクターＰＪ１の内部の信号を外部機器へ出力する場合との両方の場合に使用可能であるため、入力部５１及び第２通信部５４の両方に含まれている。
【００３７】
ＵＳＢＩ／Ｆ５３０は、ＵＳＢ規格に準拠した端子である。外部機器のＵＳＢＩ／ＦとプロジェクターＰＪ１のＵＳＢＩ／Ｆ５３０とをＵＳＢケーブルを用いて接続することにより、入力部５１は、外部機器からデジタルの表示画像信号ＧＳ及び位置情報ＰＳの入力が可能である。更に、プロジェクターＰＪ１以外の他のプロジェクターのＵＳＢＩ／ＦとプロジェクターＰＪ１のＵＳＢＩ／Ｆ５３０とをＵＳＢケーブルを用いて接続することにより、入力部５１は、前記他のプロジェクターから合成画像信号ＣＳを入力することが可能である。また、プロジェクターＰＪ１以外の他のプロジェクターのＵＳＢＩ／ＦとプロジェクターＰＪ１のＵＳＢＩ／Ｆ５３０とをＵＳＢケーブルを用いて接続することにより、第２通信部５４は、前記他のプロジェクターに合成画像信号ＣＳを出力可能である。
【００３８】
ＬＡＮＩ／Ｆ５４０は、ＬＡＮケーブルを接続可能なＩ／Ｆである。外部機器のＬＡＮＩ／ＦとプロジェクターＰＪ１のＬＡＮＩ／Ｆ５４０とをＬＡＮケーブルを用いて接続することにより、入力部５１は、外部機器からデジタルの表示画像信号ＧＳ及び位置情報ＰＳの入力が可能である。また、外部機器のＬＡＮＩ／ＦとプロジェクターＰＪ１のＬＡＮＩ／Ｆ５４０とをＬＡＮケーブルを用いて接続することにより、第１通信部５３は、外部機器に対してデジタルの表示画像信号ＧＳ及び位置情報ＰＳの出力が可能である。更に、プロジェクターＰＪ１以外の他のプロジェクターのＬＡＮＩ／ＦとプロジェクターＰＪ１のＬＡＮＩ／Ｆ５４０とをＬＡＮケーブルを用いて接続することにより、入力部５１は、前記他のプロジェクターから合成画像信号ＣＳを入力することが可能である。また、プロジェクターＰＪ１以外の他のプロジェクターのＬＡＮＩ／ＦとプロジェクターＰＪ１のＬＡＮＩ／Ｆ５４０とをＬＡＮケーブルを用いて接続することにより、第２通信部５４は、前記他のプロジェクターに対して合成画像信号ＣＳを出力することが可能である。
【００３９】
入力部５１は、Ｄ−ｓｕｂ端子５００と、ＨＤＭＩ入力Ｉ／Ｆ５１０とを備えている。Ｄ−ｓｕｂ端子５００は、ＲＧＢアナログ出力を持つ画像信号出力装置１０とプロジェクターＰＪ１とをＤ−ｓｕｂケーブルにより接続するための端子である。画像信号出力装置１０のＤ−ｓｕｂ端子とＤ−ｓｕｂ端子５００とをＤ−ｓｕｂケーブルを用いて接続することにより、入力部５１は、画像信号出力装置１０からアナログの画像信号を入力することが可能である。
【００４０】
ＨＤＭＩ入力Ｉ／Ｆ５１０は、図１にも示したように、プロジェクターＰＪ１以外の他のプロジェクターまたは画像信号出力装置１０等の外部機器と、プロジェクターＰＪ１とを接続するために用いられる。ＨＤＭＩ入力Ｉ／Ｆ５１０は、表示画像信号ＧＳ、位置情報ＰＳ、及びＣＥＣ（Consumer Electronics Control）のコマンドを入力することが可能となっている。詳しくは後述する。本実施形態では、ＨＤＭＩ入力Ｉ／Ｆ５１０は、ＨＤＭＩのバージョン２．０に対応している。
【００４１】
Ｉ／Ｆ部５０の入力部５１、第１通信部５３、及び第２通信部５４は、上述のように表示画像信号ＧＳ等の入力または出力を行うだけでなく、入力部５１、第１通信部５３、及び第２通信部５４の各々と、外部機器との間の接続状態を検出する。
【００４２】
図２に示す画像処理部６０はフレームメモリー６１と描画画像信号生成部６２とを備える。制御部３０は、Ｉ／Ｆ部５０を介して入力した表示画像信号ＧＳを画像処理部６０に出力する。画像処理部６０は、表示画像信号ＧＳに対して、インターレース／プログレッシブ変換、解像度変換、色変換等の各種変換処理を適宜実行する。画像処理部６０は、また、各種変換処理を実行した後、予め設定されたフォーマットの画像データを生成し、フレームメモリー６１にフレーム毎の画像データを展開する。インタラクティブ表示モードにおいては、指示体４０の位置を示す位置情報ＰＳは検出部７０によって取得され、制御部３０に入力される。制御部３０は、位置情報ＰＳを画像処理部６０に出力する。描画画像信号生成部６２は、位置情報ＰＳに基づいて指示体４０の軌跡の画像である描画画像を示す描画画像信号を生成する。画像処理部６０は、フレームメモリー６１に展開された表示画像信号ＧＳに基づく画像データに、描画画像信号に基づく画像データを加え、または消去する編集を行い、合成画像データの生成または更新を行う。そして、画像処理部６０は、合成画像データを合成画像信号ＣＳとして表示部９０に出力する。
【００４３】
検出部７０は、スクリーンＳＣ１に対する指示体４０の位置を検出し、指示体４０の位置を示す位置情報ＰＳを生成する。検出部７０は、撮像部７１、受光部７２、及び位置情報生成部７３を備える。撮像部７１は、表示部９０がスクリーンＳＣ１上に画像を表示する範囲をカバーする画角を有するＣＣＤやＣＭＯＳからなる撮像素子、及び、撮像素子の検出値を読み出して出力するインターフェース回路等を有する。受光部７２は、指示体４０の赤外線発光部から発光される赤外線信号を受光する。
【００４４】
位置情報生成部７３は、撮像部７１の出力信号に基づいて、指示体４０の位置を示す位置情報ＰＳを生成する。位置情報ＰＳは、指示体４０が画像の表示面であるスクリーンＳＣ１と接触する位置を示す情報であれば、どのようなものであっても良い。この例の位置情報ＰＳは、指示体４０の先端ボタン４２がスクリーンＳＣ１上で指し示している位置の座標を示す。
また、検出部７０は、位置情報ＰＳを取得部３２に出力する。取得部３２は、検出部７０から出力される位置情報ＰＳを取得する。
【００４５】
記憶部８０は、ハードディスクドライブ、あるいは半導体メモリーから構成され、制御部３０が実行する制御プログラムＰ、制御部３０が処理するデータ、後述する管理テーブルＴＢＬ１を記憶する。なお、記憶部８０は、プロジェクターＰＪ１の外部の記憶装置あるいはサーバー等に設けるようにしてもよい。
図３は、本実施形態における管理テーブルＴＢＬ１の一例を示す図である。図３に示すように、管理テーブルＴＢＬ１は、機種型番のフィールド、描画機能のフィールド、要求座標精度のフィールド、及びサポート通信フォーマットのフィールドを備えている。機種型番のフィールドには、一例として、ＥＢ−ＸＸ１、ＥＢ−ＸＸ２、ＥＢ−ＸＸ３、及びＥＢ−ＸＸ４というプロジェクターの機種型番が記憶されている。ＥＢ−ＸＸ４は、プロジェクターＰＪ１とプロジェクターＰＪ２の機種型番である。描画機能のフィールドには、各機種型番のプロジェクターにおける、位置情報ＰＳに基づく描画機能の有無が記憶される。図３に示す例では、機種型番ＥＢ−ＸＸ１およびＥＢ−ＸＸ２のプロジェクターには描画機能が無く、他の機種型番のプロジェクターには描画機能が有ることが記憶される。要求座標精度のフィールドには、位置情報ＰＳに必要とされるビット数が記憶される。機種型番ＥＢ−ＸＸ１及び機種型番ＥＢ−ＸＸ２のプロジェクターには合成機能が無いため、要求座標精度のフィールドにはそれぞれＮｕｌｌが記憶される。機種型番ＥＢ−ＸＸ３、及びＥＢ−ＸＸ４のそれぞれのプロジェクターの要求座標精度のフィールドには、ｍ１ビット、及びｍ２ビット（ｍ１、及びｍ２は自然数。ｍ１＜ｍ２）が記憶される。位置情報ＰＳの詳細については後述する。サポート通信フォーマットのフィールドには、ＨＤＭＩのバージョンが記憶される。機種型番ＥＢ−ＸＸ１のプロジェクターのサポート通信フォーマットのフィールドにはＮｕｌｌが記憶される。機種型番ＥＢ−ＸＸ２、ＥＢ−ＸＸ３、及びＥＢ−ＸＸ４のそれぞれのプロジェクターのサポート通信フォーマットのフィールドには、ＨＤＭＩ１．０、ＨＤＭＩ１．４、及びＨＤＭＩ２．０が記憶される。ＨＤＭＩ１．０、ＨＤＭＩ１．４、及びＨＤＭＩ２．０は、それぞれＨＤＭＩのバージョン１．０、１．４、及び２．０を示している。
【００４６】
表示部９０は、照明光学系９１、光変調装置９２、及び投射光学系９３を備える。照明光学系９１は、キセノンランプ、超高圧水銀ランプ、ＬＥＤ（Light Emitting Diode）、レーザー光源等からなる光源を備えている。また、照明光学系９１は、光源が発した光を光変調装置９２に導くリフレクター及び補助リフレクターを備えていてもよい。照明光学系９１は、投射光の光学特性を高めるためのレンズ群（図示略）、偏光板、或いは光源が発した光の光量を光変調装置９２に至る経路上で低減させる調光素子等を備えたものであってもよい。
光変調装置９２は、例えばＲＧＢの三原色に対応した３枚の透過型液晶パネルを備え、画像処理部６０から出力される合成画像信号ＣＳに基づいて液晶パネルを透過する光を変調して画像光を生成する。照明光学系９１からの光はＲＧＢの３色の色光に分離され、各色光は対応する各液晶パネルに入射する。各液晶パネルを通過して変調された色光はクロスダイクロイックプリズム等の合成光学系によって合成され、投射光学系９３に射出される。
【００４７】
投射光学系９３は、投射する画像の拡大・縮小を行うズームレンズ、ズームの度合いを調整するズーム調整用モーター、フォーカスの調整を行うフォーカス調整用モーター、投射光をスクリーンＳＣに向けて反射する凹面鏡等を備えている。投射光学系９３は、光変調装置９２で変調された画像光のズーム調整及びフォーカス調整を行って、レンズ群を通った光を凹面鏡によりスクリーンＳＣ１方向へ導き、スクリーンＳＣ１上に結像させる。なお、投射光学系９３の具体的構成は上記の例に限定されず、例えば凹面鏡を含むミラーを用いない構成により、光変調装置９２で変調された光をレンズによってスクリーンＳＣ１に投射し、結像させることも可能である。
【００４８】
ＣＰＵ３００は、記憶部８０に記憶されている制御プログラムＰを実行することによって、プロジェクターＰＪ１全体を制御する制御部３０及び判断部３１、並びに位置情報を取得する取得部３２として機能する。
取得部３２は、検出部７０から出力される位置情報ＰＳを取得する。また、プロジェクターＰＪ１に接続された他のプロジェクターから位置情報ＰＳが出力される場合には、他のプロジェクターからの位置情報ＰＳを取得する。取得部３２は、取得した位置情報ＰＳを画像処理部６０に出力する。
【００４９】
制御部３０は、操作部２０、Ｉ／Ｆ部５０、画像処理部６０、検出部７０、記憶部８０、及び表示部９０と接続されており、各部との間でデータの入出力を行うと共に、各部を制御する。例えば、操作部２０から電源オフの操作内容を示す操作データＤ１が入力されると、制御部３０はプロジェクターＰＪ１の電源をオフする処理を行う。また、操作部２０からミュートの操作内容を示す操作データＤ１が入力されると、制御部３０は表示部９０の表示をミュートする処理を行う。更に、制御部３０は、プロジェクターＰＪ１に接続された他のプロジェクターが表示画像信号ＧＳと位置情報ＰＳに基づき合成画像信号を合成可能と判断されると、前記他のプロジェクターに表示画像信号ＧＳと位置情報ＰＳを送信するようにＩ／Ｆ部５０を制御する。
【００５０】
判断部３１は、Ｉ／Ｆ部５０のＨＤＭＩ出力Ｉ／Ｆ５２０に接続された他のプロジェクターの機種が既知の機種かどうかを判断する。また、判断部３１は、前記他のプロジェクターが表示画像信号ＧＳと位置情報ＰＳに基づいて合成画像信号を合成できるかどうかを判断する。更に、判断部３１は、前記他のプロジェクターで採用されている信号規格が、位置情報ＰＳの送信が可能な信号規格かどうかを判断する。これらの判断はＥＤＩＤ(Extended Display Identification Data)に含まれる機種情報等に基づいて行う。詳しくは後述する。
【００５１】
次に、本実施形態の表示システム１００における、第１通信部５３のＨＤＭＩ出力Ｉ／Ｆ５２０と、入力部５１のＨＤＭＩ入力Ｉ／Ｆ５１０とについて詳しく説明する。図４は、本実施形態の表示システム１００における、プロジェクターＰＪ１のＨＤＭＩ出力Ｉ／Ｆ５２０と、プロジェクターＰＪ２のＨＤＭＩ入力Ｉ／Ｆ５１０の構成例を示す図である。なお、以下の説明では、一例として、プロジェクターＰＪ１のＨＤＭＩ出力Ｉ／Ｆ５２０と、プロジェクターＰＪ２のＨＤＭＩ入力Ｉ／Ｆ５１０とをＨＤＭＩケーブル２１０を用いて接続した場合について説明する。
【００５２】
ＨＤＭＩＩ／Ｆ５２０は、一の垂直同期信号から次の垂直同期信号までの区間から、水平帰線区間及び垂直帰線区間を除いた区間において、表示画像信号ＧＳに対応する差動信号を、複数のチャネルでＨＤＭＩ入力Ｉ／Ｆ５１０に一方向に送信する。また、ＨＤＭＩ出力Ｉ／Ｆ５２０は、水平帰線区間または垂直帰線区間において、表示画像信号ＧＳに付随する音声信号、制御信号、及び位置情報ＰＳ等に対応する差動信号を、複数のチャネルでＨＤＭＩ入力Ｉ／Ｆ５１０に一方向に送信する。
【００５３】
ＨＤＭＩ出力Ｉ／Ｆ５２０は、ＨＤＭＩトランスミッター５２１を有する。ＨＤＭＩトランスミッター５２１は、例えば、表示画像信号ＧＳを当該表示画像信号ＧＳに対応する差動信号に変換する。ＨＤＭＩ出力Ｉ／Ｆ５２０は、前記差動信号を、複数のチャネルである３つのＴＭＤＳ(Transition Minimized Differential Signaling)チャネル０，１，２を用いて、ＨＤＭＩケーブル２１０を介して接続されているＨＤＭＩ入力Ｉ／Ｆ５１０に一方向にシリアル伝送する。
【００５４】
また、ＨＤＭＩトランスミッター５２１は、表示画像信号ＧＳに付随する音声信号、制御信号、及び位置情報ＰＳ等を、これらに対応する差動信号に変換する。ＨＤＭＩトランスミッター５２１は、前記差動信号を、３つのＴＭＤＳチャネル０，１，２を用いて、ＨＤＭＩケーブル２１０を介して接続されているＨＤＭＩ入力Ｉ／Ｆ５１０に一方向にシリアル伝送する。
【００５５】
更に、ＨＤＭＩトランスミッター５２１は、表示画像信号ＧＳに対応した差動信号に同期したピクセルクロックを、ＴＭＤＳクロックチャネルを用いてＨＤＭＩケーブル２１０を介して接続されているＨＤＭＩ入力Ｉ／Ｆ５１０に送信する。
【００５６】
ＨＤＭＩ入力Ｉ／Ｆ５１０は、一の垂直同期信号から次の垂直同期信号までの区間から、水平帰線区間及び垂直帰線区間を除いた区間において、複数のチャネルを用いてＨＤＭＩ出力Ｉ／Ｆ５２０から一方向に送信される表示画像信号ＧＳに対応する差動信号を受信する。また、ＨＤＭＩ入力Ｉ／Ｆ５１０は、水平帰線区間または垂直帰線区間において、複数のチャネルを用いてＨＤＭＩ出力Ｉ／Ｆ５２０から一方向に送信される音声信号、制御信号、及び位置情報ＰＳ等に対応する差動信号を受信する。
【００５７】
ＨＤＭＩ入力Ｉ／Ｆ５１０は、ＨＤＭＩレシーバー５１２を有する。ＨＤＭＩレシーバー５１２は、ＴＭＤＳチャネル０，１，２を用いてＨＤＭＩケーブル２１０を介して送信される表示画像信号ＧＳに対応する差動信号を、ＴＭＤＳクロックチャネルで送信されるピクセルクロックに同期して受信する。また、ＨＤＭＩレシーバー５１２は、ＴＭＤＳチャネル０，１，２を用いてＨＤＭＩケーブル２１０を介して送信される音声信号、制御信号、及び位置情報ＰＳ等に対応する差動信号を、ＴＭＤＳクロックチャネルで送信されるピクセルクロックに同期して受信する。
【００５８】
ＨＤＭＩの伝送チャネルには、上述したチャネルの他に、ディスプレイ・データ・チャネル（以下、ＤＤＣ(Display Data Channel)とする）２１２、及びＣＥＣ(Consumer Electronics Control)ライン２１３と呼ばれる伝送チャネルがある。
【００５９】
ＤＤＣ２１２は、ＨＤＭＩケーブル２１０に含まれる図示しない２本の信号線からなり、ＨＤＭＩ出力Ｉ／Ｆ５２０が、ＨＤＭＩケーブル２１０を介してＨＤＭＩ入力Ｉ／Ｆ５１０から出力されるＥＤＩＤを読み出すために使用される。
【００６０】
ＨＤＭＩ入力Ｉ／Ｆ５１０は、ＥＤＩＤを記憶するＥＤＩＤメモリー５１１が備えられている。ＥＤＩＤには、ＨＤＭＩ入力Ｉ／Ｆ５１０を備える機器の特性、この例の場合には、プロジェクターＰＪ２の特性が記載されている。
【００６１】
ＣＥＣライン２１３は、ＨＤＭＩケーブル２１０に含まれる図示しない１本の信号線からなり、ＨＤＭＩ出力Ｉ／Ｆ５２０とＨＤＭＩ入力Ｉ／Ｆ５１０との間で、制御用のデータの双方向通信を行うために用いられる。
【００６２】
ＨＤＭＩケーブル２１０には、ＨＰＤ(Hot Plug Detect)と呼ばれるピンに接続されるＨＰＤライン２１４が含まれている。プロジェクターＰＪ１は、ＨＰＤライン２１４を利用して、プロジェクターＰＪ２の接続を検出することができる。また、ＨＤＭＩケーブル２１０には、プロジェクターＰＪ１からプロジェクターＰＪ２に＋５Ｖの電源を供給するために用いられる電源ライン２１５が含まれている。
【００６３】
ＨＤＭＩの３つのＴＭＤＳチャネル０，１，２で差動信号が伝送されるビデオフィールド（Video Field）には、差動信号の種類に応じて、ビデオデータ区間（Video Data period）、データアイランド区間（Data Island period）、及びコントロール区間（Control period）の３種類の区間が存在する。ビデオデータ区間は、一の垂直同期信号から次の垂直同期信号までの区間から、水平帰線区間及び垂直帰線区間を除いたアクティブビデオ区間に割り当てられる。データアイランド区間及びコントロール区間は、水平帰線区間及び垂直帰線区間に割り当てられる。
【００６４】
ＨＤＭＩの規格では、Vender Specific Infoframeパケットと呼ばれる、メーカーごとに固有に定義されたデータを伝送可能なパケットが用意されている。Vender Specific Infoframeパケットは、水平帰線区間及び垂直帰線区間のデータアイランド区間に割り当てられる。本実施形態では、Vender Specific Infoframeパケットを用いて、表示画像信号ＧＳに対応する差動信号に多重させて位置情報ＰＳを送信する。
【００６５】
ところで、Vender Specific Infoframeパケットにより受信した位置情報ＰＳに基づく描画画像信号と、ＨＤＭＩ出力Ｉ／Ｆ５２０を介して受信した表示画像情報ＧＳとに基づいて合成画像信号ＣＳを生成する機能は、全てのプロジェクターが備えている訳ではない。また、あるプロジェクターがこのような合成画像信号ＣＳを生成する機能を備えていたとしても、位置情報ＰＳに求められる座標の精度は、当該プロジェクターの解像度等によって異なる。
【００６６】
上述したように、位置情報ＰＳは、スクリーンＳＣ１上に投射される投射画像１２０上における指示体４０の位置を示す情報である。プロジェクターＰＪ１は所定の解像度を有しており、この解像度は、図１に示すＸ方向のピクセル数とＹ方向のピクセル数とで表される。したがって、このような解像度で投射される投射画像１２０上における指示体４０の位置を示す情報としては、Ｘ方向には、Ｘ方向におけるピクセル数を十分に表現できるビット数があればよい。Ｙ方向にも同様なビット数があればよい。また、位置情報ＰＳにはタイムスタンプを付加することができ、更には浮動小数点により位置を表現することも考えられる。本実施形態では、以上のような事項を考慮して、位置情報ＰＳのビット数を定めている。本実施形態では、一例として、プロジェクターＰＪ１が出力する位置情報ＰＳのビット数は、ｍ２（ｍ２は自然数。）ビットとする。
【００６７】
しかし、解像度がプロジェクターＰＪ１の解像度よりも低い機種、または位置情報ＰＳにタイムスタンプを付加しない機種、更には浮動小数点により位置を表現しない機種等では、位置情報Ｐに必要とされるビット数はｍ２ビットよりも少ないことが考えられる。仮に、あるプロジェクターが上述のような合成画像信号ＣＳを生成する機能を備えていたとしても、位置情報Ｐに必要とされるビット数がｍ２ビットよりも少ない場合には、当該プロジェクターは、ｍ２ビットで表現された位置情報ＰＳを理解できない。したがって、このようなプロジェクターにｍ２ビットで表現された位置情報ＰＳを送信したとしても、適正な合成画像信号ＣＳが生成されないことになる。
【００６８】
そこで、本実施形態においては、プロジェクターＰＪ１に接続されたプロジェクターの機種型番をＥＤＩＤにより取得し、取得した機種型番と管理テーブルＴＢＬ１に記憶された機種型番とを比較する。本実施形態においては、前記比較の結果に基づいて、前記接続されたプロジェクターが、表示画像信号ＧＳと位置情報ＰＳとに基づいて合成画像を表示可能であるかどうかを判断する。更に、本実施形態においては、前記比較の結果に基づいて、前記接続されたプロジェクターにおいて必要とされる位置情報ＰＳのビット数が、プロジェクターＰＪ１において必要とされる位置情報ＰＳのビット数に適合するかどうかを判断する。また、前記接続されたプロジェクターにおけるサポート通信フォーマットが、位置情報ＰＳを表示画像信号ＧＳに多重させて送信する機能に対応しているかどうかを判断する。その結果、前記接続されたプロジェクターが、前記合成画像を表示可能であり、位置情報ＰＳのビット数がプロジェクターＰＪ１において必要とされる位置情報ＰＳのビット数に適合していたとする。また、前記接続されたプロジェクターが採用しているサポート通信フォーマットが、位置情報ＰＳを表示画像信号ＧＳに多重させて送信する機能に対応していたとする。この場合には、ＨＤＭＩ出力Ｉ／Ｆ５２０から表示画像信号ＧＳと位置情報ＰＳとを出力する。
【００６９】
次に、図４を参照して、ＥＤＩＤ通信プロトコルに基づくＥＤＩＤの通信について説明する。ＥＤＩＤは、１２８バイトのデータで構成される。ＥＤＩＤには、ＥＤＩＤを送信した機器の特性が記載されており、ブロック０と呼ばれるプライマリーブロックを含んでいる。ブロック０には、ＥＤＩＤを送信した機器の推奨解像度、リフレッシュレート、その他の表示可能な解像度とリフレッシュレート、及びカラー特性が記載されている。また、ＥＤＩＤには、メーカー、機種型番、シリアルナンバー、製造時期、カラー特性等の様々な補助情報が含まれている。
【００７０】
プロジェクターＰＪ１及びプロジェクターＰＪ２がＨＤＭＩケーブル２１０により接続され、プロジェクターＰＪ１に電源が投入されると、プロジェクターＰＪ１は、ＨＤＭＩ出力Ｉ／Ｆ５２０の電源ライン２１５により、プロジェクターＰＪ２に＋５Ｖの電源を供給する。これによりプロジェクターＰＪ２のＥＤＩＤメモリー５１１に電源が供給され、プロジェクターＰＪ２自体の電源を入れずにＥＤＩＤの通信が可能になる。
【００７１】
プロジェクターＰＪ２のＥＤＩＤメモリー５１１に電源が入ると、プロジェクターＰＪ２のＥＤＩＤメモリー５１１は、ＨＤＭＩ入力Ｉ／Ｆ５１０のＨＰＤライン２１４においてＨＰＤ信号をローからハイに変化させ、接続を確認したことを、プロジェクターＰＪ１に知らせる。
【００７２】
プロジェクターＰＪ１の判断部３１がＨＤＭＩ出力Ｉ／Ｆ５２０を介して、ＨＰＤライン２１４においてＨＰＤ信号がハイに変化したことを検出すると、プロジェクターＰＪ１の制御部３０は、プロジェクターＰＪ２に対してＥＤＩＤの送信を要求するコマンドをＨＤＭＩ出力Ｉ／Ｆ５２０経由で送信するように第１通信部５３を制御する。ＨＤＭＩ出力Ｉ／Ｆ５２０は、ＤＤＣ２１２によりＥＤＩＤの送信を要求するコマンドを出力する。プロジェクターＰＪ２のＥＤＩＤメモリー５１１は、このコマンドを受け取ると、ＤＤＣ２１２によりプロジェクターＰＪ１にＥＤＩＤを伝送して応答する。
【００７３】
プロジェクターＰＪ１の判断部３１は、ＨＤＭＩ出力Ｉ／Ｆ５２０経由で受信したＥＤＩＤに基づいて、推奨解像度、リフレッシュレート、カラー特性、メーカー、及び機種型番を読み取り、記憶部８０に記憶させる。また、判断部３１は、読み取った機種型番と、管理テーブルＴＢＬ１とに基づいて、以下に説明する送信モードの設定処理を行う。
【００７４】
次に、図５から図７を参照しつつ、本実施形態における送信モードの設定処理について説明する。図５は、本実施形態における送信モードの設定処理を示すフローチャートである。図６は、本実施形態における送信処理を示すフローチャートである。図７は、本実施形態における受信処理を示すフローチャートである。
プロジェクターＰＪ１の第１通信部５３におけるＨＤＭＩ出力Ｉ／Ｆ５２０にＨＤＭＩケーブル２１０が接続され、プロジェクターＰＪ１の判断部３１がＨＤＭＩ出力Ｉ／Ｆ５２０を介してＨＰＤ信号がハイに変化したことを検出したとする。プロジェクターＰＪ１の制御部３０は、このＨＰＤ信号の検出を契機として、図５に示す送信モードの設定処理を開始する。本実施形態においては、送信モードとして、第１送信モード、第２送信モード、及び第３送信モードの３種類のモードを備えている。
第１送信モード：ＨＤＭＩ出力Ｉ／Ｆ５２０から位置情報ＰＳと表示画像信号ＧＳとを送信するモード
第２送信モード：ＵＳＢＩ／Ｆ５３０から位置情報ＰＳを送信し、ＨＤＭＩ出力Ｉ／Ｆ５２０から表示画像信号ＧＳを送信するモード
第３送信モード：ＨＤＭＩ出力Ｉ／Ｆ５２０から合成画像信号ＣＳを送信するモード
以下、本実施形態における送信モードの設定処理、送信処理、及び受信処理を、各送信モードに分けて説明する。
【００７５】
［第１送信モード］
図５に示すように、プロジェクターＰＪ１の制御部３０は、ＨＤＭＩ出力Ｉ／Ｆ５２０に接続された接続先の機器の機種情報を取得する（図５：Ｓ１００）。プロジェクターＰＪ１の制御部３０は、プロジェクターＰＪ２に対してＥＤＩＤの送信を要求するコマンドをＨＤＭＩ出力Ｉ／Ｆ５２０経由で送信するように第１通信部５３を制御する。ＨＤＭＩ出力Ｉ／Ｆ５２０は、ＤＤＣ２１２によりＥＤＩＤの送信を要求するコマンドを出力する。
【００７６】
図７に示すように、プロジェクターＰＪ２のＨＤＭＩ入力Ｉ／Ｆ５１０は、プロジェクターＰＪ１から受信したデータが機種情報の送信要求かどうかを判断する（図７：Ｓ３００）。プロジェクターＰＪ２のＥＤＩＤメモリー５１１は、コマンドを受け取ると、このコマンドが機種情報の送信要求であると判断し（図７：Ｓ３００；ＹＥＳ）、ＤＤＣ２１２によりプロジェクターＰＪ１に機種情報を含むＥＤＩＤを送信する（図７：Ｓ３００；ＹＥＳ）
【００７７】
図５に示すように、プロジェクターＰＪ１の制御部３０は、ＨＤＭＩ出力Ｉ／Ｆ５２０を介してＥＤＩＤを取得する（図５：Ｓ１００）。次に、プロジェクターＰＪ１の判断部３１は、取得したＥＤＩＤに含まれる機種型番と、管理テーブルＴＢＬ１の機種型番に記憶された機種型番との一致を確認し、接続先の機器の機種が既知の機種かどうかを判断する（図５：Ｓ１１０）。例えば、取得したＥＤＩＤに含まれる機種型番が、管理テーブルＴＢＬ１の機種型番に記憶された機種型番のいずれとも一致しない場合には、判断部３１は、接続先の機器の機種が既知の機種ではないと判断し（図５：Ｓ１１０；ＮＯ）、処理を終了する。しかし、取得したＥＤＩＤに含まれる機種型番が、例えばＥＢ−ＸＸ４であった場合には、管理テーブルＴＢＬ１の機種型番に記憶されたＥＢ−ＸＸ４と一致するので、判断部３１は、接続先の機器の機種が既知の機種であると判断する（図５：Ｓ１１０；ＹＥＳ）。本実施形態の例では、プロジェクターＰＪ２の機種型番はＥＢ−ＸＸ４なので、判断部３１は、接続先の機器の機種が既知の機種であると判断する。
【００７８】
次に、判断部３１は、接続先の機器において位置情報ＰＳに基づく描画が可能かどうかについて、管理テーブルＴＢＬ１を参照することにより判断する（図５：Ｓ１２０）。つまり、判断部３１は、接続先の機器が、表示画像信号ＧＳと位置情報ＰＳとに基づいて、合成画像を表示可能であるかどうかを判断する。例えば、接続先の機器の機種型番がＥＢ−ＸＸ１とＥＢ−ＸＸ２の場合には、機種型番としてＥＢ−ＸＸ１およびＥＢ−ＸＸ２が記憶されたレコードの描画機能のフィールドに「無し」が記憶されているので、判断部３１は接続先の機器が位置情報ＰＳに基づく描画が可能ではないと判断する（図５：Ｓ１２０；ＮＯ）。この場合は、プロジェクターＰＪ１の制御部３０は、合成画像信号を送信するモードを設定する（図５：Ｓ１９０）。なお、合成画像信号を送信するモードの詳細については後述する。
【００７９】
しかし、接続先の機器の機種型番がＥＢ−ＸＸ３またはＥＢ−ＸＸ４のいずれかの場合には、これらの機種型番が記憶されたレコードの描画機能のフィールドに「有り」が記憶されている。したがって、判断部３１は接続先の機器が位置情報ＰＳに基づく描画が可能であると判断する（図５：Ｓ１２０；ＹＥＳ）。本実施形態の例では、プロジェクターＰＪ２の機種型番はＥＢ−ＸＸ４なので、判断部３１は、接続先の機器が位置情報ＰＳに基づく描画が可能であると判断する。
【００８０】
次に、判断部３１は、接続先の機器において採用されている信号規格が、位置情報ＰＳの送信が可能な信号規格かどうかを、管理テーブルＴＢＬ１を参照して判断する（図５：Ｓ１３０）。例えば、接続先の機器の機種型番がＥＢ−ＸＸ３の場合は、これらの機種型番が記憶されたレコードの要求座標精度のフィールドに「ｍ１ビット」が記憶されている。また、サポート通信フォーマットのフィールドに「ＨＤＭＩ１．４」が記憶されている。この場合には、「ｍ１ビット」がプロジェクターＰＪ１に設定された「ｍ２ビット」に一致しない。つまり、この場合には、ｍ１＜ｍ２なので、機種型番がＥＢ−ＸＸ３のプロジェクターにおける位置情報ＰＳの情報量が表示画像信号ＧＳに位置情報ＰＳを多重可能な大きさでないと判断される。また、「ＨＤＭＩ１．４」がプロジェクターＰＪ１で採用された「ＨＤＭＩ２．０」に一致しない。したがって、判断部３１は、接続先の機器において採用されている信号規格が、位置情報ＰＳの送信が可能な信号規格ではないと判断する（図５：Ｓ１３０；ＮＯ）。このように判断されると、プロジェクターＰＪ１の制御部３０は、ステップＳ１５０以降で汎用データ通信経路での位置情報ＰＳまたは合成画像信号ＣＳの送信を試みるが、これらの処理の詳細については後述する。
【００８１】
接続先の機器の機種型番がＥＢ−ＸＸ４の場合は、これらの機種型番が記憶されたレコードの要求座標精度のフィールドに「ｍ２ビット」が記憶されている。また、サポート通信フォーマットのフィールドに「ＨＤＭＩ２．０」が記憶されている。この場合には、「ｍ２ビット」がプロジェクターＰＪ１に設定された「ｍ２ビット」に一致する。したがって判断部３１は、機種型番がＥＢ−ＸＸ４のプロジェクターにおける位置情報ＰＳの情報量が表示画像信号ＧＳに位置情報ＰＳを多重可能な大きさであると判断する。また、「ＨＤＭＩ２．０」がプロジェクターＰＪ１において採用された「ＨＤＭＩ２．０」に一致する。したがって、判断部３１は、接続先の機器において採用されている信号規格が、位置情報ＰＳの送信が可能な信号規格であると判断する（図５：Ｓ１３０；ＹＥＳ）。つまり、プロジェクターＰＪ１の制御部３０は、要求座標精度とサポート通信フォーマットとに基づいて、接続先の機器が、表示画像信号ＧＳと位置情報ＰＳとに基づいて、合成画像を表示可能であるかどうかを判断する。
【００８２】
プロジェクターＰＪ１の制御部３０は、位置情報ＰＳの送信が可能な信号規格であると判断すると、送信モードとして、位置情報ＰＳと表示画像信号ＧＳを送信する第１送信モードを設定する（図５：Ｓ１４０）。本実施形態の例では、プロジェクターＰＪ２の機種型番はＥＢ−ＸＸ４なので、機種型番としてＥＢ−ＸＸ４が記憶されたレコードの要求座標精度のフィールドに「ｍ２ビット」が記憶されている。したがって、判断部３１は、機種型番がＥＢ−ＸＸ４のプロジェクターにおける位置情報ＰＳの情報量が表示画像信号ＧＳに位置情報ＰＳを多重可能な大きさであると判断する。また、サポート通信フォーマットのフィールドに「ＨＤＭＩ２．０」が記憶されている。したがって、プロジェクターＰＪ１の判断部３１は、接続先の機器の信号規格が、位置情報ＰＳの送信が可能な信号規格であると判断し（図５：Ｓ１３０；ＹＥＳ）、送信モードとして、位置情報ＰＳと表示画像信号ＧＳを送信する第１送信モードを設定する（図５：Ｓ１４０）。
【００８３】
以上のように、本実施形態によれば、ＨＤＭＩ出力Ｉ／Ｆ５２０にＨＤＭＩケーブル２１０を接続することにより、接続先の機器の機種番号が判断される。また、機種番号に基づいて、接続先の機器が、表示画像信号ＧＳと位置情報ＰＳとに基づいて、合成画像を表示可能であるかどうかが判断される。そして、接続先の機器が、前記合成画像を表示可能であると判断した場合には、送信モードとして、位置情報ＰＳと表示画像信号ＧＳを送信する第１送信モードを設定する。言い換えれば、ＨＤＭＩ出力Ｉ／Ｆ５２０に接続された機器が、自分自身と同じ機種型番のプロジェクターである場合には、接続元のプロジェクターと接続先のプロジェクターとを連動させるモードが選択されたと判断し、送信モードとして第１送信モードを設定する。したがって、ＨＤＭＩケーブル２１０を用いて、同じ機種型番のプロジェクター同士を接続するだけで、２つのプロジェクターを連動させる送信モードが選択されることになる。本実施形態によれば、ユーザーが、プロジェクターにおいて送信モードを手動で設定する煩雑な操作を省くことができる。
【００８４】
次に、図６及び図７を参照しつつ、第１送信モードにおけるプロジェクターＰＪ１による送信処理と、プロジェクターＰＪ２による受信処理とについて説明する。プロジェクターＰＪ１の制御部３０は、ＨＤＭＩ入力Ｉ／Ｆ５１０を介して画像信号出力装置１０から表示画像信号ＧＳを入力すると、表示画像信号ＧＳを画像処理部６０に出力して表示部９０に表示画像信号ＧＳの示す表示画像を表示させる。スクリーンＳＣ１には、表示画像信号ＧＳの示す表示画像が投射される。また、制御部３０は、検出部７０から指示体４０の位置情報ＰＳを取得すると、位置情報ＰＳを画像処理部６０に出力して表示部９０に合成画像信号ＣＳに基づく合成画像を表示させる。スクリーンＳＣ１には、位置情報ＰＳに基づく描画画像信号の示す描画画像と、表示画像信号ＧＳの示す表示画像とを合成した合成画像が投射される。
【００８５】
更に、制御部３０は、このような表示処理を実行すると共に、図６に示す送信処理を実行する。制御部３０は、送信モードを判断し、送信モードとして位置情報ＰＳと表示画像信号ＧＳとを送信する第１送信モードが設定されていると判断した場合には（図６：Ｓ２００；ＹＥＳ）、電源オフまたはミュートが操作されたかどうかを判断する（図６：Ｓ２１０）。制御部３０は、電源オフまたはミュートが操作されていないと判断すると（図６：Ｓ２１０；ＮＯ）、表示画像信号ＧＳをＨＤＭＩ出力Ｉ／Ｆ５２０から送信する（図６：Ｓ２３０）。また、制御部３０は、検出部７０から指示体４０の位置情報ＰＳを取得すると、位置情報ＰＳをＨＤＭＩ出力Ｉ／Ｆ５２０から送信する（図６：Ｓ２３０）。
【００８６】
一方、プロジェクターＰＪ２の制御部３０は、ＨＤＭＩ入力Ｉ／Ｆ５１０から受信した信号が機種情報の送信要求か否かを判断し（図７：Ｓ３００）、前記送信要求ではないと判断すると（図７：Ｓ３００；ＮＯ）、表示画像信号ＧＳか否かを判断する（図７：Ｓ３２０）。プロジェクターＰＪ２の制御部３０は、ＨＤＭＩ入力Ｉ／Ｆ５１０から受信した信号が表示画像信号ＧＳであると判断すると（図７：Ｓ３２０；ＹＥＳ）、ＨＤＭＩ入力Ｉ／Ｆ５１０から位置情報ＰＳを受信したかどうかを判断する（図７：Ｓ３３０）。制御部３０は、ＨＤＭＩ入力Ｉ／Ｆ５１０から位置情報ＰＳを受信していないと判断すると（図７：Ｓ３３０；ＮＯ）、位置情報ＰＳをＵＳＢＩ／Ｆ５３０等の汎用データ通信経路から受信したかどうかを判断する（図７：Ｓ３４０）。制御部３０は、位置情報ＰＳを汎用データ通信経路から受信してないと判断すると（図７：Ｓ３４０；ＮＯ）、受信した表示画像信号ＧＳをプロジェクターＰＪ２の画像処理部６０に出力する。画像処理部６０は、表示画像信号ＧＳをフレームメモリー６１に展開して画像データ処理を行う（図７：Ｓ３５０）。画像処理部６０は、画像データ処理を行った画像データを処理済みの画像信号として表示部９０に出力する。表示部９０は、制御部３０の制御の下、表示画像信号ＧＳの示す表示画像を表示させる表示処理を行う（図７：Ｓ３９０）。スクリーンＳＣ２には、表示画像信号ＧＳの示す表示画像が投射される。
【００８７】
制御部３０は、ＨＤＭＩ入力Ｉ／Ｆ５１０から位置情報ＰＳを受信したと判断すると（図７：Ｓ３３０；ＹＥＳ）、位置情報ＰＳを画像処理部６０に出力する。画像処理部６０の描画画像信号生成部６２は、位置情報ＰＳに基づいて描画画像信号を生成する（図７：Ｓ３６０）。また、画像処理部６０は、表示画像信号ＧＳに基づいて画像データ処理を行う（図７：Ｓ３７０）。更に、画像処理部６０は、フレームメモリー６１に展開された表示画像信号ＧＳに基づく画像データに、描画画像信号に基づく画像データを加え、または消去する編集を行い、合成画像データの生成または更新を行う（図７：Ｓ３８０）。そして、画像処理部６０は、合成画像データを合成画像信号ＣＳとして表示部９０に出力する。表示部９０は、制御部３０の制御の下、合成画像信号ＣＳの示す合成画像を表示させる。スクリーンＳＣ２には、位置情報ＰＳに基づく描画画像信号の示す描画画像と、表示画像信号ＧＳの示す表示画像とを合成した合成画像が投射される。したがって、プロジェクターＰＪ１によりスクリーンＳＣ１に投射された合成画像と同じ合成画像が、プロジェクターＰＪ２によりスクリーンＳＣ２に投射される。
【００８８】
以上のように、本実施形態によれば、プロジェクターＰＪ２においては、ＨＤＭＩ入力Ｉ／Ｆ５１０を介して位置情報ＰＳと表示画像信号ＧＳを受信した場合には、位置情報ＰＳに基づいて描画画像信号を生成し、描画画像信号と表示画像信号ＧＳとに基づいて合成画像信号ＣＳを生成する。したがって、ＨＤＭＩケーブル２１０を用いて、同じ機種型番のプロジェクター同士を接続するだけで、２つのプロジェクターを連動させる受信モードが選択されることになる。本実施形態によれば、ユーザーが、プロジェクターにおいて受信モードを手動で設定する煩雑な操作を省くことができる。
【００８９】
次に、プロジェクターＰＪ１において、リモコンまたは操作パネル２１により、電源オフまたはミュートの操作が行われた場合には、プロジェクターＰＪ１の制御部３０は、送信モードを判断する（図６：Ｓ２００）。制御部３０は、第１送信モードが設定されていると判断した場合には（図６：Ｓ２００；ＹＥＳ）、電源オフまたはミュートが操作されたかどうかを判断する（図６：Ｓ２１０）。制御部３０は、電源オフまたはミュートが操作されたと判断すると（図６：Ｓ２１０；ＹＥＳ）、電源オフまたはミュートに対応するコマンドを生成し、当該コマンドをＨＤＭＩ出力Ｉ／Ｆ５２０からＣＥＣライン２１３を利用してプロジェクターＰＪ２に送信する（図６：Ｓ２２０）。
【００９０】
一方、プロジェクターＰＪ２の制御部３０は、ＨＤＭＩ入力Ｉ／Ｆ５１０から受信した信号が機種情報の送信要求か否かを判断し（図７：Ｓ３００）、前記送信要求ではないと判断すると（図７：Ｓ３００；ＮＯ）、表示画像信号ＧＳか否かを判断する（図７：Ｓ３２０）。プロジェクターＰＪ２の制御部３０は、ＨＤＭＩ入力Ｉ／Ｆ５１０から受信した信号が表示画像信号ＧＳではないと判断すると（図７：Ｓ３２０；ＮＯ）、受信した信号がＣＥＣライン２１３からのコマンドかどうかを判断する（図７：Ｓ４００）。プロジェクターＰＪ２の制御部３０は、受信した信号がコマンドであると判断すると（図７：Ｓ４００；ＹＥＳ）、コマンドに応じたコマンド処理を行う（図７：Ｓ４１０）。制御部３０は、コマンドが電源オフに対応したコマンドである場合には、プロジェクターＰＪ２の電源をオフさせる。また、制御部３０は、コマンドがミュートに対応したコマンドである場合には、プロジェクターＰＪ２の表示部９０による表示をミュートさせる。
【００９１】
以上のように、本実施形態によれば、プロジェクターＰＪ２においては、ＨＤＭＩ入力Ｉ／Ｆ５１０を介してコマンドを受信した場合には、コマンドに応じた処理を行う。したがって、ＨＤＭＩケーブル２１０を用いて、同じ機種型番のプロジェクター同士を接続するだけで、２つのプロジェクターを連動させて電源オフまたはミュートを実行することができる。本実施形態によれば、ユーザーが、プロジェクターＰＪ１とプロジェクターＰＪ２のそれぞれにおいて送信モードまたは受信モードを手動により設定する煩雑な操作を省き、２つのプロジェクターを連動させることができる。
【００９２】
［第２送信モード］
次に、プロジェクターＰＪ１のＵＳＢＩ／Ｆ５３０から位置情報ＰＳを送信し、プロジェクターＰＪ１のＨＤＭＩ出力Ｉ／Ｆ５２０から表示画像信号ＧＳを送信する第２送信モードに設定される場合の処理を、図５から図８を参照して説明する。図８は、プロジェクターＰＪ３の受信処理を示すフローチャートである。
図１に示す例では、機種番号がＥＢ−ＸＸ４のプロジェクターＰＪ１に、機種番号が同じＥＢ−ＸＸ４のプロジェクターＰＪ２を接続した。以下に説明する例では、機種番号がＥＢ−ＸＸ４のプロジェクターＰＪ１に、機種番号がＥＢ−ＸＸ３のプロジェクターＰＪ３が接続されたとする。プロジェクターＰＪ３の構成は、図２に示すプロジェクターＰＪ１及びプロジェクターＰＪ２の構成と同様であるが、ＨＤＭＩのサポート通信フォーマットはＨＤＭＩ１．４であるところがプロジェクターＰＪ１及びプロジェクターＰＪ２と異なる。以下の説明では、プロジェクターＰＪ３の各部の符号として、図２に示すプロジェクターＰＪ１及びプロジェクターＰＪ２の各部の符号と同一の符号を用いる。
【００９３】
図５に示すように、プロジェクターＰＪ１の制御部３０は、ＨＤＭＩ出力Ｉ／Ｆ５２０に接続された接続先の機器の機種情報を取得する（図５：Ｓ１００）。次に、プロジェクターＰＪ１の判断部３１は、取得したＥＤＩＤに含まれる機種型番と、管理テーブルＴＢＬ１の機種型番に記憶された機種型番との一致を確認し、接続先の機器の機種が既知の機種かどうかを判断する（図５：Ｓ１１０）。例えば、取得したＥＤＩＤに含まれる機種型番が、ＥＢ−ＸＸ３であった場合には、管理テーブルＴＢＬ１の機種型番に記憶されたＥＢ−ＸＸ３と一致する。したがって、判断部３１は、接続先の機器の機種が既知の機種であると判断する（図５：Ｓ１１０；ＹＥＳ）。
【００９４】
次に、判断部３１は、接続先の機器において位置情報ＰＳに基づく描画が可能かどうかについて、管理テーブルＴＢＬ１を参照することにより判断する（図５：Ｓ１２０）。例えば、接続先の機器の機種型番がＥＢ−ＸＸ３の場合には、これらの機種型番が記憶されたレコードの描画機能のフィールドに「有り」が記憶されている。したがって、判断部３１は接続先の機器が位置情報ＰＳに基づく描画が可能であると判断する（図５：Ｓ１２０；ＹＥＳ）。
【００９５】
次に、判断部３１は、接続先の機器において採用されている信号規格が、位置情報ＰＳの送信が可能な信号規格かどうかを、管理テーブルＴＢＬ１を参照して判断する（図５：Ｓ１３０）。例えば、接続先の機器の機種型番がＥＢ−ＸＸ３の場合は、これらの機種型番が記憶されたレコードの要求座標精度のフィールドに「ｍ１ビット」が記憶されている。また、サポート通信フォーマットのフィールドに「ＨＤＭＩ１．４」が記憶されている。この場合には、「ｍ１ビット」がプロジェクターＰＪ１に設定された「ｍ２ビット」に一致しない。また、「ＨＤＭＩ１．４」がプロジェクターＰＪ１で採用された「ＨＤＭＩ２．０」に一致しない。したがって、判断部３１は、接続先の機器において採用されている信号規格が、位置情報ＰＳの送信が可能な信号規格ではないと判断する（図５：Ｓ１３０；ＮＯ）。
【００９６】
このように判断されると、プロジェクターＰＪ１の制御部３０は、ＵＳＢＩ／Ｆ５３０等の汎用データ通信経路の確立要求を送信する（図５：Ｓ１５０）。まず、制御部３０は、プロジェクターＰＪ１のＵＳＢＩ／Ｆ５３０からコマンドを送信し、判断部３１は、当該コマンドに対する応答によって、ＵＳＢＩ／Ｆ５３０に他の機器が接続されているかをチェックする。
【００９７】
プロジェクターＰＪ１の判断部３１は、ＵＳＢＩ／Ｆ５３０に他の機器が接続されていないと判断した場合には（図５：Ｓ１６０；ＮＯ）、送信モードとして、合成画像信号を送信する第３送信モードを設定する（図５：Ｓ１９０）。しかし、判断部３１が、ＵＳＢＩ／Ｆ５３０に他の機器が接続されていると判断した場合には（図５：Ｓ１６０；ＹＥＳ）、制御部３０は、ＵＳＢＩ／Ｆ５３０を介して他の機器に、プロジェクターＰＪ１の制御プログラムのバージョンを送信する。
【００９８】
プロジェクターＰＪ３の判断部３１は、ＵＳＢＩ／Ｆ５３０を介して、プロジェクターＰＪ１から、制御プログラムのバージョンを受信すると、プロジェクターＰＪ１から汎用データ通信経路の確立要求があったと判断する（図８：Ｓ５００）。プロジェクターＰＪ３の制御部３０は、ＵＳＢＩ／Ｆ５３０を介して、プロジェクターＰＪ２の制御プログラムのバージョンを送信して、汎用データ通信経路の確立処理を行う（図８：Ｓ５１０）。
【００９９】
プロジェクターＰＪ１の判断部３１は、ＵＳＢＩ／Ｆ５３０を介して、プロジェクターＰＪ３の制御プログラムのバージョンを受信すると、通信経路が確立できたと判断する（図５：Ｓ１６０；ＹＥＳ）。プロジェクターＰＪ１の判断部３１は、受信したプロジェクターＰＪ３の制御プログラムのバージョンに基づいて、プロジェクターＰＪ３が位置情報ＰＳに基づく描画を行うことが可能かどうかを判断する（図５：Ｓ１７０）。例えば、プロジェクターＰＪ１の判断部３１が、プロジェクターＰＪ３が位置情報ＰＳに基づく描画を行うことが可能ではないと判断したとする（図５：Ｓ１７０；ＮＯ）。この場合、制御部３０は、送信モードとして、合成画像信号を送信する第３送信モードを設定する（図５：Ｓ１９０）。プロジェクターＰＪ１の判断部３１は、プロジェクターＰＪ３が位置情報ＰＳに基づく描画を行うことが可能であると判断した場合には（図５：Ｓ１７０；ＹＥＳ）、制御部３０は、送信モードとして、位置情報を汎用データ通信経路で送信する第２送信モードを設定する（図５：Ｓ１８０）。
【０１００】
プロジェクターＰＪ１の制御部３０は、ＨＤＭＩ入力Ｉ／Ｆ５１０を介して画像信号出力装置１０から表示画像信号ＧＳを入力すると、表示画像信号ＧＳを画像処理部６０に出力して表示部９０に表示画像信号ＧＳの示す表示画像を表示させる。スクリーンＳＣ１には、表示画像信号ＧＳの示す表示画像が投射される。また、制御部３０は、検出部７０から指示体４０の位置情報ＰＳを取得すると、位置情報ＰＳを画像処理部６０に出力して表示部９０に合成画像信号ＣＳに基づく合成画像を表示させる。スクリーンＳＣ１には、位置情報ＰＳに基づく描画画像信号の示す描画画像と、表示画像信号ＧＳの示す表示画像とを合成した合成画像が投射される。
【０１０１】
更に、制御部３０は、このような表示処理を実行すると共に、図６に示す送信処理を実行する。制御部３０は、送信モードとして位置情報ＰＳを汎用データ通信経路で送信する第２送信モードが設定されていると判断した場合には（図６：Ｓ２００；ＮＯ、Ｓ２４０；ＹＥＳ）、電源オフまたはミュートが操作されたかどうかを判断する（図６：Ｓ２５０）。制御部３０は、電源オフまたはミュートが操作されていないと判断すると（図６：Ｓ２５０；ＮＯ）、位置情報ＰＳを汎用データ通信経路であるＵＳＢＩ／Ｆ５３０から送信する（図６：Ｓ２６０）。また、制御部３０は、表示画像信号ＧＳをＨＤＭＩ出力Ｉ／Ｆ５２０から送信する（図６：Ｓ２７０）。
【０１０２】
一方、プロジェクターＰＪ３の制御部３０は、ＨＤＭＩ入力Ｉ／Ｆ５１０から受信した信号が機種情報の送信要求か否かを判断し（図７：Ｓ３００）、前記送信要求ではないと判断すると（図７：Ｓ３００；ＮＯ）、表示画像信号ＧＳか否かを判断する（図７：Ｓ３２０）。プロジェクターＰＪ３の制御部３０は、ＨＤＭＩ入力Ｉ／Ｆ５１０から受信した信号が表示画像信号ＧＳであると判断すると（図７：Ｓ３２０；ＹＥＳ）、ＨＤＭＩ入力Ｉ／Ｆ５１０から位置情報ＰＳを受信したかどうかを判断する（図７：Ｓ３３０）。制御部３０は、ＨＤＭＩ入力Ｉ／Ｆ５１０から位置情報ＰＳを受信していないと判断すると（図７：Ｓ３３０；ＮＯ）、位置情報ＰＳをＵＳＢＩ／Ｆ５３０等の汎用データ通信経路から受信したかどうかを判断する（図７：Ｓ３４０）。制御部３０は、位置情報ＰＳを汎用データ通信経路から受信したと判断すると（図７：Ｓ３４０；ＹＥＳ）、位置情報ＰＳを画像処理部６０に出力する。画像処理部６０の描画画像信号生成部６２は、位置情報ＰＳに基づいて描画画像信号を生成する（図７：Ｓ３６０）。また、画像処理部６０は、表示画像信号ＧＳに基づいて画像データ処理を行う（図７：Ｓ３７０）。更に、画像処理部６０は、フレームメモリー６１に展開された表示画像信号ＧＳに基づく画像データに、描画画像信号に基づく画像データを加え、または消去する編集を行い、合成画像データの生成または更新を行う（図７：Ｓ３８０）。そして、画像処理部６０は、合成画像データを合成画像信号ＣＳとして表示部９０に出力する。表示部９０は、制御部３０の制御の下、合成画像信号ＣＳの示す合成画像を表示させる。プロジェクターＰＪ３に対応するスクリーンＳＣ３には、位置情報ＰＳに基づく描画画像信号の示す描画画像と、表示画像信号ＧＳの示す表示画像とを合成した合成画像が投射される。したがって、プロジェクターＰＪ１によりスクリーンＳＣ１に投射された合成画像と同じ合成画像が、プロジェクターＰＪ３によりスクリーンＳＣ３に投射される。
【０１０３】
以上のように、本実施形態によれば、プロジェクターＰＪ１が、プロジェクターＰＪ３において位置情報ＰＳに基づく描画を実行できないと判断した場合には、汎用データ通信経路であるＵＳＢＩ／Ｆ５３０を用いて位置情報ＰＳを送信する。プロジェクターＰＪ３においては、ＵＳＢＩ／Ｆ５３０を介して受信した位置情報ＰＳに基づいて描画画像信号を生成し、描画画像信号と、ＨＤＭＩ入力Ｉ／Ｆ５１０を介して受信した表示画像信号ＧＳとに基づいて合成画像信号ＣＳを生成する。したがって、ＨＤＭＩケーブル２１０とＵＳＢケーブルとを用いて、異なる機種型番のプロジェクター同士を接続するだけで、２つのプロジェクターを連動させる送信モードと受信モードが選択されることになる。本実施形態によれば、ユーザーが、プロジェクターにおいて送信モードと受信モードを手動で設定する煩雑な操作を省くことができる。
【０１０４】
次に、プロジェクターＰＪ１において、リモコンまたは操作パネル２１により、電源オフまたはミュートの操作が行われた場合には、プロジェクターＰＪ１の制御部３０は、送信モードを判断する（図６：Ｓ２００）。制御部３０は、第２送信モードが設定されていると判断した場合には（図６：Ｓ２００；ＮＯ、Ｓ２４０；ＹＥＳ）、電源オフまたはミュートが操作されたかどうかを判断する（図６：Ｓ２５０）。制御部３０は、電源オフまたはミュートが操作されたと判断すると（図６：Ｓ２５０；ＹＥＳ）、電源オフまたはミュートに対応するコマンドを生成し、当該コマンドをＨＤＭＩ出力Ｉ／Ｆ５２０からＣＥＣライン２１３を利用してプロジェクターＰＪ３に送信する（図６：Ｓ２２０）。
【０１０５】
一方、プロジェクターＰＪ３の制御部３０は、ＨＤＭＩ入力Ｉ／Ｆ５１０から受信した信号が機種情報の送信要求か否かを判断し（図７：Ｓ３００）、前記送信要求ではないと判断すると（図７：Ｓ３００；ＮＯ）、表示画像信号ＧＳか否かを判断する（図７：Ｓ３２０）。プロジェクターＰＪ３の制御部３０は、ＨＤＭＩ入力Ｉ／Ｆ５１０から受信した信号が表示画像信号ＧＳではないと判断すると（図７：Ｓ３２０；ＮＯ）、受信した信号がＣＥＣライン２１３からのコマンドかどうかを判断する（図７：Ｓ４００）。プロジェクターＰＪ２の制御部３０は、受信した信号がコマンドであると判断すると（図７：Ｓ４００；ＹＥＳ）、コマンドに応じたコマンド処理を行う（図７：Ｓ４１０）。制御部３０は、コマンドが電源オフに対応したコマンドである場合には、プロジェクターＰＪ３の電源をオフさせる。また、制御部３０は、コマンドがミュートに対応したコマンドである場合には、プロジェクターＰＪ３の表示部９０による表示をミュートさせる。
【０１０６】
以上のように、本実施形態によれば、プロジェクターＰＪ３において、ＨＤＭＩ入力Ｉ／Ｆ５１０を介してコマンドを受信した場合には、コマンドに応じた処理を行う。したがって、ＨＤＭＩケーブル２１０とＵＳＢケーブルを用いて、異なる機種型番のプロジェクターを接続するだけで、２つのプロジェクターを連動させて電源オフまたはミュートを実行することができる。本実施形態によれば、ユーザーが、プロジェクターＰＪ１とプロジェクターＰＪ３のそれぞれにおいて送信モードまたは受信モードを手動により設定する煩雑な操作を省き、２つのプロジェクターを連動させることができる。
【０１０７】
［第３送信モード］
次に、プロジェクターＰＪ１のＨＤＭＩ出力Ｉ／Ｆ５２０から合成画像信号ＣＳを送信する第３送信モードに設定される場合の処理を、図５、図６及び図９を参照して説明する。図９は、機種番号がＥＢ−ＸＸ２のプロジェクターＰＪ４における受信処理を示すフローチャートである。
図１に示す例では、機種番号がＥＢ−ＸＸ４のプロジェクターＰＪ１に、機種番号が同じＥＢ−ＸＸ４のプロジェクターＰＪ２を接続した。以下に説明する例では、機種番号がＥＢ−ＸＸ４のプロジェクターＰＪ１に、機種番号がＥＢ−ＸＸ２のプロジェクターＰＪ４が接続されたとする。プロジェクターＰＪ４の構成は、図２に示すプロジェクターＰＪ１及びプロジェクターＰＪ２の構成とほぼ同様であるが、プロジェクターＰＪ４は位置情報ＰＳに基づく描画機能を備えていない。また、プロジェクターＰＪ４においては、ＨＤＭＩのサポート通信フォーマットはＨＤＭＩ１．０であるところがプロジェクターＰＪ１及びプロジェクターＰＪ２と異なる。以下の説明では、プロジェクターＰＪ４の各部の符号として、図２に示すプロジェクターＰＪ１及びプロジェクターＰＪ２の各部の符号と同一の符号を用いる。
【０１０８】
図５に示すように、プロジェクターＰＪ１の制御部３０は、ＨＤＭＩ出力Ｉ／Ｆ５２０に接続された接続先の機器の機種情報を取得する（図５：Ｓ１００）。次に、プロジェクターＰＪ１の判断部３１は、取得したＥＤＩＤに含まれる機種型番と、管理テーブルＴＢＬ１の機種型番に記憶された機種型番との一致を確認し、接続先の機器の機種が既知の機種かどうかを判断する（図５：Ｓ１１０）。例えば、取得したＥＤＩＤに含まれる機種型番が、ＥＢ−ＸＸ２であった場合には、管理テーブルＴＢＬ１の機種型番に記憶されたＥＢ−ＸＸ２と一致する。したがって、判断部３１は、接続先の機器の機種が既知の機種であると判断する（図５：Ｓ１１０；ＹＥＳ）。
【０１０９】
次に、判断部３１は、接続先の機器において位置情報ＰＳに基づく描画が可能かどうかについて、管理テーブルＴＢＬ１を参照することにより判断する（図５：Ｓ１２０）。例えば、接続先の機器の機種型番がＥＢ−ＸＸ２の場合には、機種型番にＥＢ−ＸＸ２が記憶されたレコードの描画機能のフィールドに「無し」が記憶されている。したがって、判断部３１は接続先の機器が位置情報ＰＳに基づく描画が可能ではないと判断する（図５：Ｓ１２０；ＮＯ）。プロジェクターＰＪ１の判断部３１は、ＨＤＭＩ出力Ｉ／Ｆに接続された機器が位置情報ＰＳに基づく描画が可能ではないと判断した場合には（図５：Ｓ１２０；ＮＯ）、送信モードとして、合成画像信号を送信する第３送信モードを設定する（図５：Ｓ１９０）。
【０１１０】
プロジェクターＰＪ１の制御部３０は、ＨＤＭＩ入力Ｉ／Ｆ５１０を介して画像信号出力装置１０から表示画像信号ＧＳを入力すると、表示画像信号ＧＳを画像処理部６０に出力して表示部９０に表示画像信号ＧＳの示す表示画像を表示させる。スクリーンＳＣ１には、表示画像信号ＧＳの示す表示画像が投射される。また、制御部３０は、検出部７０から指示体４０の位置情報ＰＳを取得すると、位置情報ＰＳを画像処理部６０に出力して表示部９０に合成画像信号ＣＳに基づく合成画像を表示させる。スクリーンＳＣ１には、位置情報ＰＳに基づく描画画像信号の示す描画画像と、表示画像信号ＧＳの示す表示画像とを合成した合成画像が投射される。
【０１１１】
更に、制御部３０は、このような表示処理を実行すると共に、図６に示す送信処理を実行する。制御部３０は、送信モードとしてＨＤＭＩ出力Ｉ／Ｆ５２０から合成画像信号ＣＳを送信する第３送信モードが設定されていると判断したとする（図６：Ｓ２００；ＮＯ、Ｓ２４０；ＮＯ）。この場合、制御部３０は、画像処理部６０で生成された合成画像信号ＣＳをＨＤＭＩ出力Ｉ／Ｆ５２０から送信する（図６：Ｓ２８０）。
【０１１２】
一方、プロジェクターＰＪ４の制御部３０は、ＨＤＭＩ入力Ｉ／Ｆ５１０から受信した信号が機種情報の送信要求か否かを判断し（図９：Ｓ６００）、前記送信要求ではないと判断すると（図９：Ｓ６００；ＮＯ）、画像信号か否かを判断する（図７：Ｓ６２０）。プロジェクターＰＪ４の制御部３０は、ＨＤＭＩ入力Ｉ／Ｆ５１０から受信した信号が画像信号であると判断すると（図９：Ｓ６２０；ＹＥＳ）、制御部３０は、画像信号として受信した合成画像信号ＣＳを画像処理部６０に出力する。画像処理部６０は、合成画像信号ＣＳをフレームメモリー６１に展開して画像データ処理を行う（図９：Ｓ６４０）。更に、画像処理部６０は、フレームメモリー６１に展開された合成画像信号ＣＳに基づく画像データを処理済みの合成画像信号ＣＳとして表示部９０に出力する。表示部９０は、制御部３０の制御の下、合成画像信号ＣＳの示す合成画像を表示させる。プロジェクターＰＪ４に対応するスクリーンＳＣ４には、合成画像信号ＣＳの示す合成画像が投射される。したがって、プロジェクターＰＪ１によりスクリーンＳＣ１に投射された合成画像と同じ合成画像が、プロジェクターＰＪ４によりスクリーンＳＣ４に投射される。
【０１１３】
以上のように、本実施形態によれば、プロジェクターＰＪ１が、プロジェクターＰＪ４において位置情報ＰＳに基づく描画を実行できないと判断した場合には、ＨＤＭＩ出力Ｉ／Ｆ５２０を用いて合成画像信号ＣＳを送信する。プロジェクターＰＪ４においては、ＨＤＭＩ出力Ｉ／Ｆ５１０を介して受信した合成画像信号ＣＳに基づいて合成画像を表示させる。
したがって、プロジェクターＰＪ１に、ＨＤＭＩケーブル２１０を用いて、位置情報ＰＳに基づく描画機能を備えていないプロジェクターＰＪ４を接続しても、プロジェクターＰＪ１とプロジェクターＰＪ４とにより同じ合成画像を表示させることができる。本実施形態においても、ユーザーが、プロジェクターにおいて送信モードと受信モードを手動で設定する煩雑な操作を省くことができる。なお、プロジェクターＰＪ４は、ＣＥＣライン２１３によるコマンドの受信には対応していないので、電源オフまたはミュートをプロジェクターＰＪ１とプロジェクターＰＪ４とで連動させることはできない。
【０１１４】
以上のように、本実施形態によれば、プロジェクターＰＪ１に、ＨＤＭＩケーブル２１０を用いて、またはＨＤＭＩケーブル２１０とＵＳＢケーブルとを用いて、他のプロジェクターを接続するだけで、少なくとも表示させる画像を連動させることができる。したがって、ユーザーが、各プロジェクターにおいて送信モードと受信モードを手動で設定する煩雑な操作を省くことができる。
【０１１５】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【０１１６】
（変形例１）
上述した実施形態においては、画像信号出力装置の一例としてパーソナルコンピューターを用いたが、本発明の制御プログラムを実行可能な装置であれば、タブレット端末等を画像信号出力装置として用いることも可能である。
【０１１７】
（変形例２）
上述した実施形態においては、プロジェクターＰＪ１にプロジェクターＰＪ２を接続する態様について説明したが、本発明はこのような構成に限定される訳ではない。例えば、プロジェクターＰＪ１に接続したプロジェクターＰＪ２に、更に別のプロジェクターを接続し、当該別のプロジェクターに更に別のプロジェクターを接続する等のように、複数のプロジェクターをカスケード接続することが可能である。この場合、位置情報ＰＳに基づく描画が可能ではないプロジェクター以降のプロジェクターに対しては、位置情報ＰＳに基づく描画が可能ではないプロジェクターから位置情報ＰＳを送信できない。したがって、位置情報ＰＳに基づく描画が可能ではないプロジェクター以降のプロジェクターに対しては、合成画像信号ＣＳのみが送信されることになる。
【０１１８】
（変形例３）
上述した実施形態においては、ＨＤＭＩ入力Ｉ／Ｆ５１０により受信される信号に、位置情報ＰＳを含むVender Specific Infoframeパケットが含まれている場合に、位置情報ＰＳと表示画像情報ＧＳとに基づいて合成画像信号ＣＳを生成する態様について説明した。しかし、本発明はこのような態様に限定される訳ではなく、これから位置情報ＰＳを送信することを示す情報を接続元の機器から接続先の機器に最初に送信し、接続先の機器においては前記情報を受信した後に合成画像信号ＣＳを生成するようにしてもよい。また、これから位置情報ＰＳを送信することを示す情報を、接続元の機器から接続先の機器にプッシュ配信し、接続先の機器が前記情報を受信した後に、合成画像信号ＣＳを生成するようにしてもよい。更に、Vender Specific Infoframeパケット内に、位置情報ＰＳの識別情報を含めるようにしてもよい。
【０１１９】
（変形例４）
上述した実施形態においては、記憶部８０としてコンピューターに内蔵された記憶部を用いる例について説明した。しかし、本発明はこのような態様に限定される訳ではなく、コンピューターに接続可能な記憶装置、あるいは、コンピューターと通信可能なサーバー等に備えた記憶装置を記憶部８０として用いることが可能である。
【０１２０】
（変形例５）
上述した実施形態においては、表示装置の例としてプロジェクターを用いた態様について説明した。しかし、本発明はこのような態様に限定される訳ではなく、表示装置として、液晶ディスプレイ等の他の表示装置を用いてもよい。
【０１２１】
（変形例６）
上述した実施形態においては、汎用データの通信経路として、ＵＳＢＩ／Ｆ５３０を用いた態様について説明した。しかし、本発明はこのような態様に限定される訳ではなく、汎用データの通信経路として、ＬＡＮＩ／Ｆ５４０を用いてもよい。
【０１２２】
（変形例７）
以上の実施形態では、本発明の制御プログラムＰを、プロジェクターＰＪ１の記憶部８０に記憶させる例について説明したが、前記プログラムは、例えば非一過性（non-transitory）の記録媒体に記憶させるようにしてもよい。このような記録媒体としては、ＲＡＭ（Random Access Memory）やＲＯＭ（Read Only Memory）等の半導体記録媒体が好適であるが、光学式記録媒体や磁気記録媒体等の公知の任意の形式の記録媒体を包含し得る。「非一過性」の記録媒体とは、一過性の伝搬信号（transitory, propagating signal）を除く全てのコンピューター読み取り可能な記録媒体を含み、揮発性の記録媒体を除外するものではない。
【０１２３】
（変形例８）
以上の実施形態では、光変調装置として透過型液晶パネルを用いた態様について説明したが、本発明はこのような態様に限定されるものではない。例えば、光変調装置として、透過型液晶パネル以外に、反射型液晶パネルやデジタルマイクロミラーデバイス（ＤＭＤ）等を用いても良い。
【符号の説明】
【０１２４】
１０…画像信号出力装置、１１…ＨＤＭＩ出力端子、２０…操作部、２１…操作パネル、２２…リモコン受光部、３０…制御部、３１…判断部、３２…取得部、４０…指示体、４１…軸部、４２…先端ボタン、５０…インターフェース（Ｉ／Ｆ）部、５１…入力部、５２…第１通信部、５３…第２通信部、６０…画像処理部、７０…検出部、７１…撮像部、７２…受光部、７３…位置情報生成部、８０…記憶部、９０…表示部、９１…照明光学系、９２…光変調装置、９３…投射光学系、１００…表示システム、１２０…投写画像、１２１…線画、１２２…投射画像、２００…ＨＤＭＩケーブル、２１０…ＨＤＭＩケーブル、ＰＪ１，ＰＪ２…プロジェクター、ＳＣ１，ＳＣ２…スクリーン、ＴＢＬ１…管理テーブル。
【図１】
2018036489.tif 000003
【図２】
2018036489.tif 000004
【図３】
2018036489.tif 000005
【図４】
2018036489.tif 000006
【図５】
2018036489.tif 000007
【図６】
2018036489.tif 000008
【図７】
2018036489.tif 000009
【図８】
2018036489.tif 000010
【図９】
2018036489.tif 000011